(57)【要約】  ＡＶシステムの表示装置１００は、第１〜第４の入力端子にＡＶレシーバやＨＤＤＶＤレコーダを介して、第１〜第７の映像音声出力機器が接続されると、記憶コンテンツ送信機能を備えた第１〜第７の映像音声出力機器、ＨＤＤＶＤレコーダに関する表示対象装置情報１７１を有し、記憶コンテンツ送信機能を備えないＡＶレシーバに関する表示対象装置情報１７１を有さない接続情報１７０を表示部１１１で表示させる。このため、表示装置１００と記憶コンテンツ送信機能を有する機器との間に、リピータ機能のみを有する多くの機器が接続された場合でも、記憶コンテンツ送信機能を有する機器のみに関する表示対象装置情報１７１を表示させることができ、利用者に記憶コンテンツ送信機能を有する機器を容易に特定させることができる。
2009113170.tif 000002
【特許請求の範囲】
【請求項１】
各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、を備えたコンテンツ処理装置に設けられ、
前記コンテンツ信号を発生するコンテンツ発生機能を有する信号処理装置を送信装置とし、前記コンテンツ発生機能を有さないが前記コンテンツ信号を転送するコンテンツ転送機能を有する信号処理装置を転送装置としたとき、少なくとも１個の前記転送装置を介して前記コンテンツ信号を送信する少なくとも１個の前記送信装置が前記入力端子に接続されたときに、この接続状態を前記表示部で表示させる接続状態表示制御装置であって、
前記接続状態を認識して、前記送信装置および前記転送装置をそれぞれ特定する表示対象装置情報を有する接続情報を生成する接続情報生成手段と、
前記表示対象装置情報のうち前記送信装置の表示対象装置情報のみを前記表示部で表示させる、または、前記送信装置の表示対象装置情報と前記転送装置の表示対象装置情報を異なった表示形態で表示させる接続情報表示制御手段と、
を具備したことを特徴とする接続状態表示制御装置。
【請求項２】
請求項１に記載の接続状態表示制御装置において、
前記接続情報生成手段は、前記送信装置がコンテンツ発生機能を動作させることが可能か不可能かを特定する情報を含む表示対象装置情報を有する接続情報を生成し、
前記接続情報表示制御手段は、前記送信装置がコンテンツ発生機能を動作させることができないときは、コンテンツ発生機能を動作させることができる前記送信装置とコンテンツ発生機能を動作させることができない前記送信装置の表示対象装置情報を異なった表示形態で表示させる、またはコンテンツ発生機能を動作させることができない前記送信装置の表示対象装置情報は表示させないことを特徴とする接続状態表示制御装置。
【請求項３】
請求項２に記載の接続状態表示制御装置において、
前記接続情報生成手段は、前記送信装置で動作可能な機能の変化を認識して、新たな前記接続情報を生成し、
前記接続情報表示制御手段は、前記送信装置がコンテンツ発生機能を動作させることができない状態からコンテンツ発生機能を動作させることができる状態に変化したとき、前記変化した送信装置の表示対象装置情報と前記変化以前からコンテンツ発生機能を動作させることができる送信装置の表示対象装置情報を異なった表示形態で表示させることを特徴とする接続状態表示制御装置。
【請求項４】
請求項１ないし請求項３のいずれかに記載の接続状態表示制御装置において、
前記接続情報生成手段は、前記接続状態の変化を認識して、新たな前記接続情報を生成し、
前記接続情報表示制御手段は、新たに送信装置が接続されたとき、前記新たに接続された送信装置の表示対象装置情報と従前から接続されていた前記送信装置の表示対象装置情報を異なった表示形態で表示させることを特徴とする接続状態表示制御装置。
【請求項５】
請求項１ないし請求項４のいずれかに記載の接続状態表示制御装置において、
前記接続情報生成手段は、入力操作に基づいて、前記表示対象装置情報の内容を変更する
ことを特徴とする接続状態表示制御装置。
【請求項６】
請求項１ないし請求項５のいずれかに記載の接続状態表示制御装置において、
前記コンテンツ処理装置は、複数の入力端子を備え、
前記接続情報表示制御手段は、前記接続情報で特定される前記送信装置のうちいずれか１つの送信装置の前記コンテンツ信号を前記コンテンツ処理部で処理させることが決定された旨を認識すると、前記いずれか１つの送信装置の前記表示対象装置情報を他の送信装置の表示対象装置情報とは異なる表示形態で表示させる
ことを特徴とする接続状態表示制御装置。
【請求項７】
請求項１ないし請求項６のいずれかに記載の接続状態表示制御装置において、
前記入力端子には、第１の前記送信装置を介して第２の前記送信装置が接続され、
前記第１の送信装置は、前記第２の送信装置から送信されたコンテンツ信号を転送する送信コンテンツ転送部と、前記コンテンツ信号を記憶する記憶手段と、この記憶手段に記憶されたコンテンツ信号を取得して送信することで前記コンテンツ信号を発生する記憶コンテンツ送信部と、を備え、
前記接続情報生成手段は、前記第１の送信装置および前記第２の送信装置を特定する前記表示対象装置情報を有する前記接続情報を生成する
ことを特徴とする接続状態表示制御装置。
【請求項８】
請求項１ないし請求項６のいずれかに記載の接続状態表示制御装置において、
前記入力端子には、第１の前記送信装置を介して第２の前記送信装置が接続され、
前記第１の送信装置は、前記第２の送信装置から送信されたコンテンツ信号を転送する送信コンテンツ転送部と、配信装置から配信される前記コンテンツ信号を取得して送信することで前記コンテンツ信号を発生する配信コンテンツ送信部と、を備え、
前記接続情報生成手段は、前記第１の送信装置および前記第２の送信装置を特定する前記表示対象装置情報を有する前記接続情報を生成する
ことを特徴とする接続状態表示制御装置。
【請求項９】
請求項７または請求項８に記載の接続状態表示制御装置において、
前記接続情報生成手段は、
前記第１の送信装置の第１の前記表示対象装置情報と、
前記第２の送信装置の第２の前記表示対象装置情報と、
前記第１の送信装置を介さずに前記入力端子に接続された第３の前記送信装置の第３の前記表示対象装置情報と、のうち、
前記第３の表示対象装置情報の内容を前記第１の表示対象装置情報および前記第２の表示対象装置情報と異なる規則に基づいて設定する
ことを特徴とする接続状態表示制御装置。
【請求項１０】
各種情報を表示可能な表示部と、
音声信号および画像信号のうち少なくとも一方を有するコンテンツ信号を入力可能な入力端子と、
この入力端子を介して入力される前記コンテンツ信号を処理するコンテンツ処理部と、
請求項１ないし請求項９のいずれかに記載の接続状態表示制御装置と、
を具備したことを特徴とするコンテンツ処理装置。
【請求項１１】
請求項１０に記載のコンテンツ処理装置において、
複数の前記入力端子と、
前記入力端子を特定する入力端子情報、および、前記入力端子を介して入力される前記コンテンツ信号の処理形態に関する処理形態情報を有する入力端子処理情報を記憶する入力端子処理情報記憶手段と、
を具備し、
前記コンテンツ処理部は、処理対象の前記コンテンツ信号が入力される前記入力端子を認識し、この認識した入力端子に対応する前記入力端子処理情報の前記処理形態情報に基づく処理形態で前記コンテンツ信号を処理する
ことを特徴とするコンテンツ処理装置。
【請求項１２】
請求項１０または請求項１１に記載のコンテンツ処理装置と、
前記送信装置と、
前記転送装置と、
を具備したことを特徴とするコンテンツ処理システム。
【請求項１３】
請求項１２に記載のコンテンツ処理システムにおいて、
前記コンテンツ処理装置は、
前記接続情報で特定される前記送信装置のうちいずれか１つの送信装置の前記コンテンツ信号を前記コンテンツ処理部で処理させることが決定された旨を認識すると、その旨の決定信号を前記いずれか１つの送信装置へ送信する決定信号送信手段を備え、
前記送信装置は、
前記決定信号を取得すると、前記コンテンツ送信部への電力の供給を開始する電力供給制御手段を備えた
ことを特徴とするコンテンツ処理システム。
【請求項１４】
請求項１２または請求項１３に記載のコンテンツ処理システムにおいて、
前記コンテンツ処理装置は、
前記接続情報で特定される前記送信装置のうちいずれか１つの送信装置の前記コンテンツ信号を前記コンテンツ処理部で処理させることが決定された旨を認識すると、その旨の決定信号を前記いずれか１つの送信装置へ送信する決定信号送信手段を備え、
前記送信装置は、
前記決定信号を取得すると、その旨を報知する報知手段を備えた
ことを特徴とするコンテンツ処理システム。
【請求項１５】
各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、を備えたコンテンツ処理装置に設けられた演算手段にて、
前記コンテンツ信号を発生するコンテンツ発生機能を有する信号処理装置を送信装置とし、前記コンテンツ発生機能を有さないが前記コンテンツ信号を転送するコンテンツ転送機能を有する信号処理装置を転送装置としたとき、少なくとも１個の前記転送装置を介して前記コンテンツ信号を送信する少なくとも１個の前記送信装置が前記入力端子に接続されたときに、この接続状態を前記表示部で表示させる接続状態表示制御方法であって、
前記演算手段は、
前記接続状態を認識して、前記送信装置および前記転送装置をそれぞれ特定する表示対象装置情報を有する接続情報を生成し、
前記表示対象装置情報のうち前記送信装置の表示対象装置情報のみを前記表示部で表示させる、または、前記送信装置の表示対象装置情報と前記転送装置の表示対象装置情報を異なった表示形態で表示させる
ことを特徴とする接続状態表示制御方法。
【請求項１６】
請求項１５に記載の接続状態表示制御方法を演算手段に実行させる
ことを特徴とする接続状態表示制御プログラム。
【請求項１７】
演算手段を請求項１ないし請求項９のいずれかに記載の接続状態表示制御装置として機能させる
ことを特徴とする接続状態表示制御プログラム。
【請求項１８】
請求項１６または請求項１７に記載の接続状態表示制御プログラムが演算手段にて読取可能に記録された
ことを特徴とする接続状態表示制御プログラムを記録した記録媒体。
【発明の詳細な説明】
【技術分野】
【０００１】
本発明は、コンテンツ処理装置の入力端子に転送装置を介して送信装置が接続されたときの接続状態を表示部で表示させる接続状態表示制御装置、コンテンツ処理装置、コンテンツ処理システム、接続状態表示制御方法、そのプログラム、および、そのプログラムを記録した記録媒体に関する。
【背景技術】
【０００２】
従来、複数の機器を複数の階層を有するツリー状に接続して、最も下位の階層の機器の処理内容を最も上位の階層の機器において出力する構成が知られている（例えば、特許文献１および特許文献２参照）。また、画像が分類された仮想フォルダを、複数の階層を有するツリー状に関連付けて表示する構成が知られている（例えば、特許文献３参照）。【０００３】
特許文献１に記載のものは、コンポーネント１〜４を備えている。コンポーネント４の入力端子には、コンポーネント１およびコンポーネント２の出力端子が接続されている。また、コンポーネント１の入力端子には、コンポーネント３の出力端子が接続されている。さらに、コンポーネント１〜４は、制御バスに接続されている。
そして、コンポーネント３から出力された出力信号は、コンポーネント１を介してコンポーネント４へ送信され、このコンポーネント４において適宜処理される構成が採られている。【０００４】
特許文献２に記載のものは、ディスプレイと、このディスプレイにＨＤＭＩ（High-Definition Multimedia Interface）で接続されたＡＶ（Audio Visual）スイッチと、このＡＶスイッチの３個の受信インターフェースにそれぞれＨＤＭＩで接続される３個のＳＴＢ（Set Top Box）と、を備えている。
そして、ディスプレイは、リモコンから発せられるリモコンコードをＡＶスイッチに転送する。ＡＶスイッチは、リモコンコードに対応するＳＴＢからのＡＶデータをディスプレイに転送する。そして、ディスプレイにおいて、この転送されたＡＶデータを表示、再生する構成が採られている。【０００５】
特許文献３に記載のものは、選択フォルダ内の画像を所定の時間間隔ごとに異なり、かつ、階層構造を有するカテゴリに振り分ける。そして、振り分けたカテゴリのアイコンをツリー状に表示させる構成が採られている。【０００６】
【特許文献１】特表２００７−５２４２８５号公報
【特許文献２】特開２００４−２０８２９０号公報
【特許文献３】特開２００７−５８７９２号公報
【発明の開示】
【発明が解決しようとする課題】
【０００７】
ところで、特許文献１，２のような構成において各機器の接続状態を表示させる場合、特許文献３のような構成を用いて、各機器の接続状態をツリー状に表示させることが考えられる。しかしながら、このようにツリー状に表示させる構成では、表示装置で表示させる画像信号を送信する機器（以下、送信装置と称す）を表す情報の他に、この送信装置と表示装置との間に介在し画像信号のコンテンツ転送機能のみを有する機器（以下、転送装置と称す）を表す情報が表示されてしまう。
このため、転送装置の増加に伴いツリー状の階層が多くなった場合、多くの転送装置を表す情報が表示されてしまい、実際に表示装置で表示させる画像信号を送信する送信装置を特定するのが困難になるおそれがある。
また、ＨＤＤＶＤ（High Definition DVD）レコーダが他の映像音声出力機器から出力されるコンテンツ信号を録画しているときは、そのＨＤＤＶＤレコーダにチューナ機能があっても、そのチューナからのコンテンツ信号を外部に送信することはできず、ＨＤＤＶＤレコーダに入力されるコンテンツ信号を外部に転送することしかできない場合がある。また、アンテナが接続されていないチューナ、ＤＶＤディスクが挿入されていないＤＶＤプレーヤは、コンテンツ信号を外部に出力することができない。このような場合は、実際に表示させる画像信号を送信する送信装置を特定する際に、実質的にコンテンツ信号を送信する機能が機能する送信装置のみを送信装置として特定する方が利用者にとって分かりやすい。【０００８】
本発明の目的は、コンテンツ信号を送信する送信装置を容易に特定可能な接続状態表示制御装置、コンテンツ処理装置、コンテンツ処理システム、接続状態表示制御方法、そのプログラム、および、そのプログラムを記録した記録媒体を提供することである。
本発明の他の目的は、コンテンツ信号を送信する機能が実質的に動作可能な送信装置を容易に特定可能な接続状態表示制御装置、コンテンツ処理装置、コンテンツ処理システム、接続状態表示制御方法、そのプログラム、および、そのプログラムを記録した記録媒体を提供することである。
【課題を解決するための手段】
【０００９】
本発明の接続状態表示制御装置は、各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、を備えたコンテンツ処理装置に設けられ、前記コンテンツ信号を発生するコンテンツ発生機能を有する信号処理装置を送信装置とし、前記コンテンツ発生機能を有さないが前記コンテンツ信号を転送するコンテンツ転送機能を有する信号処理装置を転送装置としたとき、少なくとも１個の前記転送装置を介して前記コンテンツ信号を送信する少なくとも１個の前記送信装置が前記入力端子に接続されたときに、この接続状態を前記表示部で表示させる接続状態表示制御装置であって、前記接続状態を認識して、前記送信装置および前記転送装置をそれぞれ特定する表示対象装置情報を有する接続情報を生成する接続情報生成手段と、前記表示対象装置情報のうち前記送信装置の表示対象装置情報のみを前記表示部で表示させる、または、前記送信装置の表示対象装置情報と前記転送装置の表示対象装置情報を異なった表示形態で表示させる接続情報表示制御手段と、を具備したことを特徴とする。【００１０】
本発明のコンテンツ処理装置は、各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、上述の接続状態表示制御装置と、を具備したことを特徴とする。【００１１】
本発明のコンテンツ処理システムは、上述のコンテンツ処理装置と、前記送信装置と、前記転送装置と、を具備したことを特徴とする。【００１２】
本発明の接続状態表示制御方法は、各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、を備えたコンテンツ処理装置に設けられた演算手段にて、前記コンテンツ信号を発生するコンテンツ発生機能を有する信号処理装置を送信装置とし、前記コンテンツ発生機能を有さないが前記コンテンツ信号を転送するコンテンツ転送機能を有する信号処理装置を転送装置としたとき、少なくとも１個の前記転送装置を介して前記コンテンツ信号を送信する少なくとも１個の前記送信装置が前記入力端子に接続されたときに、この接続状態を前記表示部で表示させる接続状態表示制御方法であって、前記演算手段は、前記接続状態を認識して、前記送信装置および前記転送装置をそれぞれ特定する表示対象装置情報を有する接続情報を生成し、前記表示対象装置情報のうち前記送信装置の表示対象装置情報のみを前記表示部で表示させる、または、前記送信装置の表示対象装置情報と前記転送装置の表示対象装置情報を異なった表示形態で表示させることを特徴とする。【００１３】
本発明の接続状態表示制御プログラムは、上述の接続状態表示制御方法を演算手段に実行させることを特徴とする。【００１４】
本発明の接続状態表示制御プログラムは、演算手段を上述の接続状態表示制御装置として機能させることを特徴とする。【００１５】
本発明の接続状態表示制御プログラムを記録した記録媒体は、上述の接続状態表示制御プログラムが演算手段にて読取可能に記録されたことを特徴とする。
【図面の簡単な説明】
【００１６】
【図１】本発明の一実施形態に係るＡＶシステムの概略構成を示すブロック図である。
【図２】前記一実施形態におけるＨＤＤＶＤレコーダおよび映像音声出力機器の概略構成を示すブロック図である。
【図３】前記一実施形態におけるレコーダ入力端子リストを示す模式図である。
【図４】前記一実施形態におけるＡＶレシーバの概略構成を示すブロック図である。
【図５】前記一実施形態におけるレシーバ入力端子リストを示す模式図である。
【図６】前記一実施形態における表示装置の概略構成を示すブロック図である。
【図７】前記一実施形態における表示入力端子リストを示す模式図である。
【図８】前記一実施形態における最適化接続構成リストを示す模式図である。
【図９】前記一実施形態における最適化接続構成リストの生成処理を示すフローチャートである。
【図１０】前記一実施形態における入力端子判断処理を示すフローチャートである。
【図１１】前記一実施形態におけるリピータ入力端子判断処理を示すフローチャートである。
【図１２】前記一実施形態における画面表示名が変更されていない場合の接続情報の表示状態を示す模式図である。
【図１３】前記一実施形態における画面表示名が変更された場合の接続情報の表示状態を示す模式図である。
【図１４】本発明の変形例に係るレコーダ入力端子リストを示す模式図である。
【図１５】前記変形例におけるレシーバ入力端子リストを示す模式図である。
【図１６】前記変形例における表示入力端子リストを示す模式図である。
【図１７】前記変形例における最適化接続構成リストを示す模式図である。
【図１８】前記変形例における画面表示名が変更されていない場合の接続情報の表示状態を示す模式図である。
【図１９】本発明の他の変形例に係る接続情報の表示状態を示す模式図である。
【図２０】本発明のさらに他の変形例に係る接続情報の表示状態を示す模式図である。
【図２１】本発明のさらに他の変形例に係る接続情報の表示状態を示す模式図である。
【符号の説明】
【００１７】
１…コンテンツ処理システムとしてのＡＶシステム
１００…コンテンツ処理装置としての表示装置
１０１〜１０４…第１〜第４の入力端子
１１１…表示部
１１２…入力端子処理情報記憶手段としての表示入力拡張構成メモリ
１１３…演算手段としての接続状態表示制御装置
１１３Ａ…接続情報表示制御手段としてのオンスクリーン処理部
１１３Ｂ…接続情報生成手段および決定信号送信手段としての表示入力拡張処理制御部
１１４…コンテンツ処理部としての映像切換処理部
１６０…入力端子処理情報としての最適化接続構成リスト
１６３…入力端子情報としての最適化入力端子情報
１６６…処理形態情報としての画質調整設定情報
１７０，５００…接続情報
１７１，５０１…表示対象装置情報
２００…転送装置としてのＡＶレシーバ
３００…第１の送信装置としてのＨＤＤＶＤレコーダ
３０５…記憶手段
３０６Ａ…送信コンテンツ転送部
３０６Ｂ…記憶コンテンツ送信部
４０１〜４０６…第３の送信装置としての第１〜第６の映像音声出力機器
４０７…第２の送信装置としての第７の映像音声出力機器
２１４，３０９，４０７Ｅ…電力供給制御手段
２１５，３１０，４０７Ｆ…報知手段
【発明を実施するための最良の形態】
【００１８】
以下、本発明の一実施形態を図面に基づいて説明する。
本実施形態では、コンテンツ処理装置としての表示装置に、データ線および制御線を有しＨＤＭＩ規格に準拠したＨＤＭＩケーブルを介して、複数の機器が複数の階層を有するツリー状に接続されたコンテンツ処理システムとしてのＡＶシステムを例示して説明する。
なお、ここでは、ＡＶシステムで処理するコンテンツ信号として、画像信号としての映像信号および音声信号を有する構成を例示するが、映像信号のみ、あるいは音声信号のみを有するコンテンツ信号を処理対象としてもよい。また、信号の伝送方式としては、ＨＤＭＩ規格に準拠したものに限らず、ＩＥＥＥ（The Institute of Electrical and Electronics Engineers）１３９４規格によるＭＰＥＧ圧縮データを用いた映像・音声伝送方式、Ｄ映像端子（Ｄ端子とも呼ばれる）を用いたＹ（輝度信号）／Ｐｂ（青色色差信号）／Ｐｒ（赤色色差信号）のコンポーネント映像伝送方式、ＩＥＣ（International Electrotechnical Commission）６０９５８規格、ＩＥＣ６１９３７規格によるデジタルオーディオフォーマットでの光デジタル音声伝送方式などを用いてもよい。
また、以下において、リピータ機能（コンテンツ転送機能）とは、各機器において映像信号、音声信号、制御信号を転送できる機能を意味する。このリピータ機能対応の機器に入力された映像信号、音声信号、制御信号は、各機器を経由して出力端子から送信される。さらに、コンテンツ発生機能としての記憶コンテンツ送信機能とは、機器が有する記憶手段に記憶されたコンテンツ信号を読み出して送信する機能を意味する。なお、リピータ機能および記憶コンテンツ送信機能の両方をまとめて説明する際には、リピータコンテンツ送信機能と称する。【００１９】
［ＡＶシステムの構成］
まず、ＡＶシステムの構成について説明する。
図１は、ＡＶシステムの概略構成を示すブロック図である。図２は、ＨＤＤＶＤレコーダおよび映像音声出力機器の概略構成を示すブロック図である。図３は、レコーダ入力端子リストを示す模式図である。図４は、ＡＶレシーバの概略構成を示すブロック図である。図５は、レシーバ入力端子リストを示す模式図である。図６は、表示装置の概略構成を示すブロック図である。図７は、表示入力端子リストを示す模式図である。図８は、最適化接続構成リストを示す模式図である。【００２０】
図１に示すように、コンテンツ処理システムとしてのＡＶシステム１は、コンテンツ処理装置としての表示装置１００と、転送装置としてのＡＶレシーバ２００と、第１の送信装置としてのＨＤＤＶＤレコーダ３００と、第３の送信装置としての第１〜第６の映像音声出力機器４０１〜４０６と、第２の送信装置としての第７の映像音声出力機器４０７と、を備えている。ここで、第１〜第７の映像音声出力機器４０１〜４０７は、それぞれ例えば第１ＤＶＤプレーヤ（ＤＶＤプレーヤ１）、第１ＨＤＤレコーダ（ＨＤＤレコーダ１）、ＢＤ（Blu-ray Disc）プレーヤ、第２ＤＶＤプレーヤ（ＤＶＤプレーヤ２）、第２ＨＤＤレコーダ（ＨＤＤレコーダ２）、ＢＤレコーダ、ビデオカメラである。
表示装置１００は、ＡＶレシーバ２００と、第１〜第３の映像音声出力機器４０１〜４０３と、に接続されている。また、ＡＶレシーバ２００を介して、ＨＤＤＶＤレコーダ３００と、第４〜第６の映像音声出力機器４０４〜４０６と、に接続されている。さらに、ＨＤＤＶＤレコーダ３００を介して、第７の映像音声出力機器４０７に接続されている。つまり、表示装置１００には、ＡＶレシーバ２００と、ＨＤＤＶＤレコーダ３００と、第１〜第７の映像音声出力機器４０１〜４０７と、が３個の階層を有するツリー状に接続されている。
そして、表示装置１００には、ツリー状の末端に接続された第１〜第７の映像音声出力機器４０１〜４０７と、リピータコンテンツ送信機能を有するＨＤＤＶＤレコーダ３００と、からのコンテンツ信号が入力される。したがって、表示装置１００は、これらのコンテンツ信号を表示可能である。なお、表示装置１００の詳細な構成については後述する。【００２１】
ここで、図１、図２、図４および図６において、各構成を接続する線を２種類の太さで示しているが、太い線は、映像信号および音声信号などのデータを送受信するためのデータ線を表し、細い線は、映像を表示したりや音声を出力するための制御信号などの信号を送受信するための制御線を表す。また、音声信号を処理する構成については、図示をしていない。また、インターフェース処理部を、Ｉ／Ｆ処理部と称す。【００２２】
第７の映像音声出力機器４０７は、図２に示すように、出力端子４０７Ａと、Ｉ／Ｆ処理部４０７Ｂと、記憶手段４０７Ｃと、映像処理部４０７Ｄと、電力供給制御手段４０７Ｅと、報知手段４０７Ｆと、を備えている。この第７の映像音声出力機器４０７は、記憶コンテンツ送信機能を有するがリピータ機能を有しておらず、その旨の信号を後述する認証処理時にＨＤＤＶＤレコーダ３００へ送信する。【００２３】
出力端子４０７Ａは、ＨＤＭＩケーブルが着脱可能な構成を有している。記憶手段４０７Ｃは、コンテンツ信号を適宜読み出し可能に記憶している。この記憶手段４０７Ｃとしては、ＨＤ、ＤＶＤ、光ディスク、メモリカードなどの記録媒体に読み出し可能に記憶するドライブやドライバなどが例示できる。
映像処理部４０７Ｄは、電力供給制御手段４０７Ｅから供給される電力により起動し、記憶手段４０７Ｃのコンテンツ信号を読み出して、Ｉ／Ｆ処理部４０７Ｂを介してＨＤＤＶＤレコーダ３００へ送信する。
電力供給制御手段４０７Ｅは、Ｉ／Ｆ処理部４０７Ｂを介して、第７の映像音声出力機器４０７がコンテンツ信号を出力する機器として決定した旨の決定信号を取得すると、映像処理部４０７Ｄへ電力を供給して起動させる。
報知手段４０７Ｆは、Ｉ／Ｆ処理部４０７Ｂを介して決定信号を取得すると、その旨を報知する。この報知手段４０７Ｆとしては、各種情報を光で報知するＬＥＤなどの発光装置、音で報知するスピーカなどの音声出力装置が例示できる。【００２４】
なお、ＨＤＤＶＤレコーダ３００およびＡＶレシーバ２００の後述する記憶手段３０５、電力供給制御手段３０９，２１４、報知手段３１０，２１５は、第７の映像音声出力機器４０７の記憶手段４０７Ｃ、電力供給制御手段４０７Ｅ、報知手段４０７Ｆと同様の構成を有しているので、以下において説明を省略する。【００２５】
ＨＤＤＶＤレコーダ３００は、入力端子３０１と、出力端子３０２と、入力側Ｉ／Ｆ処理部３０３と、出力側Ｉ／Ｆ処理部３０４と、記憶手段３０５と、映像処理部３０６と、レコーダ入力拡張構成メモリ３０７と、レコーダ入力拡張処理制御部３０８と、電力供給制御手段３０９と、報知手段３１０と、を備えている。このＨＤＤＶＤレコーダ３００は、リピータ機能と、記憶コンテンツ送信機能と、を有しており、その旨の信号を認証処理時にＡＶレシーバ２００へ送信する。【００２６】
入力端子３０１および出力端子３０２は、ＨＤＭＩケーブルが着脱可能な構成を有している。
映像処理部３０６は、送信コンテンツ転送部３０６Ａと、記憶コンテンツ送信部３０６Ｂと、を備えている。
送信コンテンツ転送部３０６Ａは、入力側Ｉ／Ｆ処理部３０３を介して第７の映像音声出力機器４０７から送信されたコンテンツ信号を取得する。そして、このコンテンツ信号に適宜処理を施して、出力側Ｉ／Ｆ処理部３０４を介してＡＶレシーバ２００へ転送する。
記憶コンテンツ送信部３０６Ｂは、記憶手段３０５のコンテンツ信号を送信する旨の要求を認識すると、記憶手段３０５からコンテンツ信号を読み出して、適宜処理を施した後にＡＶレシーバ２００へ送信する。【００２７】
レコーダ入力拡張構成メモリ３０７には、図３に示すようなレコーダ入力端子リスト３５０が適宜読み出し可能に記憶されている。
レコーダ入力端子リスト３５０は、入力端子３０１に接続された機器に関する入力端子接続構成情報３５１を有している。この入力端子接続構成情報３５１は、端子名称情報３５２と、接続機器判定情報３５３と、仮接続番号情報３５４と、を備えている。
端子名称情報３５２は、例えばあらかじめ設定されている入力端子３０１の名称を示す。接続機器判定情報３５３は、入力端子３０１に機器が接続されているか否か、接続された機器がリピータ機能や記憶コンテンツ送信機能を有しているか否かを示す。仮接続番号情報３５４は、例えばあらかじめ設定されているＡＶシステム１全体で設定された仮の接続番号（仮接続番号）を示す。
レコーダ入力拡張処理制御部３０８は、入力端子３０１に接続された機器との認証結果に基づいて、レコーダ入力端子リスト３５０を適宜更新する。そして、この更新したレコーダ入力端子リスト３５０をＡＶレシーバ２００へ送信する。なお、レコーダ入力拡張処理制御部３０８の詳細な動作については後述する。【００２８】
ＡＶレシーバ２００は、第１〜第４の入力端子２０１〜２０４と、出力端子２０５と、第１〜第４の入力側Ｉ／Ｆ処理部２０６〜２０９と、出力側Ｉ／Ｆ処理部２１０と、映像転送処理部２１１と、レシーバ入力拡張構成メモリ２１２と、レシーバ入力拡張処理制御部２１３と、電力供給制御手段２１４と、報知手段２１５と、を備えている。このＡＶレシーバ２００は、リピータ機能を有しており、記憶コンテンツ送信機能を有しておらず、その旨の信号を認証処理時に表示装置１００へ送信する。【００２９】
第１〜第４の入力端子２０１〜２０４および出力端子２０５は、ＨＤＭＩケーブルが着脱可能な構成を有している。
映像転送処理部２１１は、第１〜第４の入力側Ｉ／Ｆ処理部２０６〜２０９を介して第４〜第６の映像音声出力機器４０４〜４０６、ＨＤＤＶＤレコーダ３００から送信されるコンテンツ信号を取得する。そして、いずれか１個のコンテンツ信号に適宜処理を施して、出力側Ｉ／Ｆ処理部２１０を介して表示装置１００へ転送する。【００３０】
レシーバ入力拡張構成メモリ２１２には、図５に示すようなレシーバ入力端子リスト２５０が適宜読み出し可能に記憶されている。
レシーバ入力端子リスト２５０は、第１〜第４の入力端子２０１〜２０４に接続された機器に関する４個の入力端子接続構成情報２５１を有している。この入力端子接続構成情報２５１は、レコーダ入力端子リスト３５０の端子名称情報３５２、接続機器判定情報３５３、仮接続番号情報３５４と同様の内容を有する、端子名称情報２５２と、接続機器判定情報２５３と、仮接続番号情報２５４と、を備えている。
レシーバ入力拡張処理制御部２１３は、第１〜第４の入力端子２０１〜２０４に接続された機器との認証結果に基づいて、レシーバ入力端子リスト２５０を適宜更新して、表示装置１００へ送信する。また、ＨＤＤＶＤレコーダ３００から送信されるレコーダ入力端子リスト３５０を表示装置１００へ転送する。なお、レシーバ入力拡張処理制御部２１３の詳細な動作については後述する。【００３１】
表示装置１００は、図６に示すように、第１〜第４の入力端子１０１〜１０４と、第１〜第４のＩ／Ｆ処理部１０５〜１０８と、受光部１０９と、入力切換部１１０と、表示部１１１と、入力端子処理情報記憶手段としての表示入力拡張構成メモリ１１２と、演算手段としての接続状態表示制御装置１１３と、コンテンツ処理部としての映像切換処理部１１４と、を備えている。【００３２】
第１〜第４の入力端子１０１〜１０４は、ＨＤＭＩケーブルが着脱可能な構成を有している。
受光部１０９は、その一部が表示装置１００のケース体１００Ａ（図１２参照）の外部に露出する状態で設けられている。この受光部１０９は、リモートコントローラ（以下、リモコンと称す）１０から赤外線Ｌを受光して、この赤外線Ｌを利用して送信された操作信号を入力切換部１１０へ送信する。
入力切換部１１０は、受光部１０９からの操作信号に基づいて、利用者が視聴するコンテンツを送信する第１〜第７の映像音声出力機器４０１〜４０７やＨＤＤＶＤレコーダ３００の選択などに関する処理信号を接続状態表示制御装置１１３へ出力する。
表示部１１１は、映像切換処理部１１４から出力される映像信号に基づく映像などを表示する。この表示部１１１としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動表示装置パネルなどが例示できる。【００３３】
表示入力拡張構成メモリ１１２には、図７に示すような表示入力端子リスト１５０と、図８に示すような入力端子処理情報としての最適化接続構成リスト１６０と、が適宜読み出し可能に記憶されている。【００３４】
表示入力端子リスト１５０は、第１〜第４の入力端子１０１〜１０４に接続された機器に関する４個の入力端子接続構成情報１５１を有している。具体的には、入力端子接続構成情報１５１は、レシーバ入力端子リスト２５０の端子名称情報２５２、接続機器判定情報２５３、仮接続番号情報２５４と同様の内容を有する、端子名称情報１５２と、接続機器判定情報１５３と、仮接続番号情報１５４と、を備えている。【００３５】
最適化接続構成リスト１６０は、表示入力端子リスト１５０、レシーバ入力端子リスト２５０、レコーダ入力端子リスト３５０に基づいて生成される。この最適化接続構成リスト１６０は、表示装置１００に接続された機器のうち、少なくとも記憶コンテンツ送信機能を有する機器のみに関する最適化接続構成情報１６１である。この最適化接続構成情報１６１は、検出接続端子情報１６２と、入力端子情報としての最適化入力端子情報１６３と、接続装置情報１６４と、画面表示名情報１６５と、処理形態情報としての画質調整設定情報１６６と、を備えている。【００３６】
検出接続端子情報１６２は、仮接続番号情報１５４、２５４，３５４と同一の内容を示す。
最適化入力端子情報１６３は、検出接続端子情報１６２で仮接続番号が示される全ての端子を、表示装置１００が有しているものとして最適化した端子名称を示す。
接続装置情報１６４は、接続機器判定情報３５３，２５３，１５３で示される機器の名称や型式などを示す。
画面表示名情報１６５は、後述する表示対象装置情報１７１として表示部１１１で表示される端子の表示名称を示す。この画面表示名情報１６５には、あらかじめ設定された表示名称、あるいは利用者により変更された表示名称が記録される。ここで、図８の「ＨＤＭＩ１→ＤＶＤプレーヤ１」は、あらかじめ設定された「ＨＤＭＩ１」の表示名称が「ＤＶＤプレーヤ１」の表示名称に変更された旨を示している。
画質調整設定情報１６６は、画像の調整に利用される情報が記憶されたメモリ領域を示す。ここで、図８の「設定メモリ領域１用確保」は、「入力１」の端子に接続された機器からのコンテンツ信号に基づくコンテンツを、表示入力拡張構成メモリ１１２の図示しない設定メモリ領域１に記憶された画質や画面サイズの調整条件で表示部１１１に表示させる旨を示している。【００３７】
接続状態表示制御装置１１３は、各種プログラムにより構成され、接続情報表示制御手段としてのオンスクリーン処理部１１３Ａと、接続情報生成手段および決定信号送信手段としての表示入力拡張処理制御部１１３Ｂと、を備えている。【００３８】
オンスクリーン処理部１１３Ａは、利用者によるリモコン１０の操作に基づいて、表示入力拡張処理制御部１１３Ｂから最適化接続構成リスト１６０を取得して、最適化接続構成情報１６１の数と同数の表示対象装置情報１７１を有する接続情報１７０（図１２参照）を表示部１１１で表示させる。
表示対象装置情報１７１は、画面表示名情報１６５に基づく、第１〜第７の映像音声出力機器４０１〜４０７、ＨＤＤＶＤレコーダ３００を特定するための情報である。つまり、接続情報１７０は、記憶コンテンツ送信機能を有する第１〜第７の映像音声出力機器４０１〜４０７、ＨＤＤＶＤレコーダ３００と特定する情報を有し、記憶コンテンツ送信機能を有さないＡＶレシーバ２００を特定する情報を有していない。
なお、オンスクリーン処理部１１３Ａの接続情報１７０に関する他の処理については後述する。【００３９】
表示入力拡張処理制御部１１３Ｂは、表示入力端子リスト１５０および最適化接続構成リスト１６０を生成する。また、利用者によるリモコン１０の操作に基づいて、画面表示名情報１６５や画質調整設定情報１６６の内容を変更する。なお、表示入力端子リスト１５０および最適化接続構成リスト１６０の生成処理については後述する。
また、表示入力拡張処理制御部１１３Ｂは、入力切換部１１０を介して入力される、所定の機器からのコンテンツ信号のコンテンツを表示させる旨の信号を取得すると、映像切換処理部１１４を制御して、そのコンテンツを表示部１１１で表示させる。また、この選択された機器と、この機器と表示装置１００との間に介在している機器と、に決定信号を送信して、これらの機器にその旨を報知させる。【００４０】
映像切換処理部１１４は、表示入力拡張処理制御部１１３Ｂの制御に基づいて、第１〜第４の入力端子１０１〜１０４に接続された機器のコンテンツ信号に基づいて、画質調整設定情報１６６に基づく画質や画面サイズのコンテンツを表示部１１１で表示させる。【００４１】
［ＡＶシステムの動作］
次に、ＡＶシステム１の動作について説明する。【００４２】
〔最適化接続構成リストの生成処理〕
まず、ＡＶシステム１の動作として、最適化接続構成リスト１６０の生成処理について説明する。
図９は、最適化接続構成リストの生成処理を示すフローチャートである。図１０は、入力端子判断処理を示すフローチャートである。図１１は、リピータ入力端子判断処理を示すフローチャートである。【００４３】
まず、図１に示すように各機器が接続された後に、ＡＶシステム１の表示装置１００が起動すると、各機器も連動して動作する。そして、表示装置１００、ＡＶレシーバ２００、ＨＤＤＶＤレコーダ３００は、接続されている機器を検出して、最適化接続構成リスト１６０を生成する。
具体的には、表示装置１００は、接続状態表示制御装置１１３の表示入力拡張処理制御部１１３Ｂにて、図９に示すように、第１〜第４の入力端子１０１〜１０４の接続状態に基づいて表示入力端子リスト１５０を生成する入力端子判断処理を実施する（ステップＳ１）。
この後、表示入力拡張処理制御部１１３Ｂは、全ての入力端子について接続状態を確認したか否かを判断する（ステップＳ２）。このステップＳ２において、全ての入力端子について確認していないと判断した場合、次に接続状態を確認すべき入力端子を確認して（ステップＳ３）、ステップＳ１の処理を実施する。一方、表示入力拡張処理制御部１１３Ｂは、ステップＳ２において、全ての入力端子について接続状態を確認して表示入力端子リスト１５０が生成されたと判断した場合、各入力端子接続構成から全入力端子構成の最適化処理を実施して、最適化接続構成リスト１６０を生成する（ステップＳ４）。【００４４】
具体的には、表示入力拡張処理制御部１１３Ｂは、表示入力端子リスト１５０、ＡＶレシーバ２００で生成されたレシーバ入力端子リスト２５０、ＨＤＤＶＤレコーダ３００で生成されたレコーダ入力端子リスト３５０に基づいて、記憶コンテンツ送信機能を有する機器を認識する。
例えば、図３に示すようなレコーダ入力端子リスト３５０が生成された場合、第７の映像音声出力機器４０７を記憶コンテンツ送信機能を有する機器として認識する。また、図５に示すようなレシーバ入力端子リスト２５０が生成された場合、第４〜６の映像音声出力機器４０４〜４０６、ＨＤＤＶＤレコーダ３００を記憶コンテンツ送信機能を有する機器として認識する。さらに、図７に示すような表示入力端子リスト１５０が生成された場合、第１〜３の映像音声出力機器４０１〜４０３を記憶コンテンツ送信機能を有する機器として認識し、ＡＶレシーバ２００を記憶コンテンツ送信機能を有さない機器として認識する。
そして、表示入力拡張処理制御部１１３Ｂは、これら記憶コンテンツ送信機能を有するそれぞれの機能に関する最適化接続構成情報１６１を生成して、これらをリスト化した最適化接続構成リスト１６０を生成する。
この後、表示入力拡張処理制御部１１３Ｂは、この生成した最適化接続構成リスト１６０を表示入力拡張構成メモリ１１２に記憶させる（ステップＳ５）。【００４５】
なお、最適化接続構成情報１６１の生成時において、表示入力拡張処理制御部１１３Ｂは、リピータコンテンツ送信機能を有する機器の画面表示名情報１６５として、「ＨＤＭＩＰ−Ｑ（Ｐ，Ｑは自然数）」の文字列を表すものを生成する。また、リピータコンテンツ送信機能を有する機器を介して接続された、記憶コンテンツ送信機能のみを有する機器の画面表示名情報１６５として、「ＨＤＭＩＰ−Ｑ」の文字列を表すものを生成する。さらに、リピータ機能のみを有する機器を介して接続された機器、あるいは、表示装置１００に直接接続された機器の画面表示名情報１６５として、「ＨＤＭＩＬ（Ｌは自然数）」の文字列を表すものを生成する。
例えば、図８に示すように、表示装置１００に直接接続された第１〜第３の映像音声出力機器４０１〜４０３、および、リピータ機能のみを有するＡＶレシーバ２００を介して接続された第４〜第６の映像音声出力機器４０４〜４０６の画面表示名情報１６５として、「ＨＤＭＩ１（〜６）」の文字列を表すものを生成する。また、リピータコンテンツ送信機能を有するＨＤＤＶＤレコーダ３００、このＨＤＤＶＤレコーダ３００を介して接続された第７の映像音声出力機器４０７の画面表示名情報１６５として、「ＨＤＭＩ７−１（２）」の文字列を表すものを生成する。【００４６】
一方、ステップＳ１における入力端子判断処理では、表示入力拡張処理制御部１１３Ｂは、図１０に示すように、各Ｉ／Ｆ処理部１０５〜１０８を介して認証処理を実施することにより、各入力端子１０１〜１０４に接続されている機器があるか否かを判断する（ステップＳ１１）。このステップＳ１１において、接続機器があると判断した場合、この機器がリピータ機能を有しているか否かを判断する（ステップＳ１２）。
そして、表示入力拡張処理制御部１１３Ｂは、ステップＳ１２において、接続状態の確認対象が第１〜第３の入力端子１０１〜１０３であり、これらに接続された第１〜第３の映像音声出力機器４０１〜４０３がリピータ機能を有していない場合、あるいは、ステップＳ１１で接続機器がないと判断した場合、この入力端子に関する入力端子接続構成情報１５１を生成して（ステップＳ１３）、表示入力端子リスト１５０として記憶させる（ステップＳ１４）。【００４７】
一方、表示入力拡張処理制御部１１３Ｂは、ステップＳ１２において、接続状態の確認対象が第４の入力端子１０４であり、これに接続されたＡＶレシーバ２００がリピータ機能を有している場合、ＡＶレシーバ２００のレシーバ入力拡張処理制御部２１３に、第１〜第４の入力端子２０１〜２０４の接続状態に基づいてレシーバ入力端子リスト２５０を生成するリピータ入力端子判断処理を実施させる（ステップＳ１５）。
この後、レシーバ入力拡張処理制御部２１３は、全ての入力端子について接続状態を確認したか否かを判断して（ステップＳ１６）、全ての入力端子について確認していないと判断した場合、次に接続状態を確認すべき入力端子を確認して（ステップＳ１７）、ステップＳ１５の処理を実施する。一方、レシーバ入力拡張処理制御部２１３は、ステップＳ１６において、全ての入力端子について接続状態を確認してレシーバ入力端子リスト２５０が生成されたと判断した場合、その旨の信号を表示入力拡張処理制御部１１３Ｂへ送信する。そして、表示入力拡張処理制御部１１３Ｂは、ステップＳ１３の処理を実施して、第４の入力端子１０４に関する入力端子接続構成情報１５１を生成する。【００４８】
また、ステップＳ１５におけるリピータ入力端子判断処理では、レシーバ入力拡張処理制御部２１３は、図１１に示すように、各入力側Ｉ／Ｆ処理部２０６〜２０９を介して認証処理を実施することにより、接続されている機器があるか否かを判断する（ステップＳ２１）。このステップＳ２１において、接続機器があると判断した場合、この機器がリピータ機能を有しているか否かを判断する（ステップＳ２２）。
そして、レシーバ入力拡張処理制御部２１３は、ステップＳ２２において、接続状態の確認対象が第１〜第３の入力端子２０１〜２０３であり、これらに接続された第４〜第６の映像音声出力機器４０４〜４０６がリピータ機能を有していない場合、あるいは、ステップＳ２１で接続機器がないと判断した場合、この入力端子に関する入力端子接続構成情報２５１を生成して（ステップＳ２３）、レシーバ入力端子リスト２５０として記憶させる（ステップＳ２４）。【００４９】
一方、レシーバ入力拡張処理制御部２１３は、ステップＳ２２において、接続状態の確認対象が第４の入力端子２０４であり、これに接続されたＨＤＤＶＤレコーダ３００がリピータ機能を有している場合、ＨＤＤＶＤレコーダ３００のレコーダ入力拡張処理制御部３０８に、入力端子３０１の接続状態に基づいてレコーダ入力端子リスト３５０を生成するリピータ入力端子判断処理を実施させる（ステップＳ２５）。
この後、レコーダ入力拡張処理制御部３０８は、全ての入力端子について接続状態を確認したか否かを判断して（ステップＳ２６）、全ての入力端子について確認していないと判断した場合、次に接続状態を確認すべき入力端子を確認して（ステップＳ２７）、ステップＳ２５の処理を実施する。一方、レコーダ入力拡張処理制御部３０８は、ステップＳ２６において、全ての入力端子について接続状態を確認してレコーダ入力端子リスト３５０が生成されたと判断した場合、その旨の信号をレシーバ入力拡張処理制御部２１３へ送信する。そして、レシーバ入力拡張処理制御部２１３は、ステップＳ２３の処理を実施して、第４の入力端子２０４に関する入力端子接続構成情報２５１を生成する。【００５０】
また、ステップＳ２５におけるレコーダ入力拡張処理制御部３０８でのリピータ入力端子判断処理では、図１１のステップＳ２１〜ステップＳ２７の処理を実施する。そして、ステップＳ２３において入力端子３０１に関する入力端子接続構成情報３５１を生成して、ステップＳ２４において、この入力端子接続構成情報３５１をレコーダ入力端子リスト３５０として記憶させる。【００５１】
〔接続情報の表示処理〕
次に、ＡＶシステム１の動作として、接続情報１７０の表示処理について説明する。
図１２は、画面表示名が変更されていない場合の接続情報の表示状態を示す模式図である。図１３は、画面表示名が変更された場合の接続情報の表示状態を示す模式図である。【００５２】
まず、表示装置１００のオンスクリーン処理部１１３Ａは、図１２に示すように、利用者により所定の入力端子を選択するためのリモコン１０の選択ボタン１０Ａが押され、入力切換部１１０からその旨の操作信号を取得すると、表示入力拡張処理制御部１１３Ｂを介して最適化接続構成リスト１６０を取得する。そして、最適化接続構成リスト１６０の画面表示名情報１６５に基づいて、最適化接続構成情報１６１の数と同数の８個の表示対象装置情報１７１を有する接続情報１７０を表示部１１１で表示させる。さらに、オンスクリーン処理部１１３Ａは、１個の表示対象装置情報１７１の周縁にカーソル１７２を表示させる。
そして、オンスクリーン処理部１１３Ａは、選択ボタン１０Ａあるいは十字キー１０Ｂが押されるごとに、カーソル１７２を下方へ移動させる。そして、所定の表示対象装置情報１７１にカーソル１７２が位置する状態でリモコン１０の決定ボタン１０Ｃが押されたら、オンスクリーン処理部１１３Ａ、表示入力拡張処理制御部１１３Ｂは、以下のような処理を実施する。【００５３】
オンスクリーン処理部１１３Ａは、カーソル１７２が位置している表示対象装置情報１７１の表示形態を、他の表示対象装置情報１７１と異なるものに設定する。例えば、図１２に示すように、「ＨＤＭＩ１」の表示対象装置情報１７１の色（斜線で示す）を他の表示対象装置情報１７１と異なるものに設定する。
なお、オンスクリーン処理部１１３Ａは、画面表示名情報１６５の表示名称が利用者により変更されている場合には、図１３に示すような接続情報１７０を表示させる。【００５４】
また、表示入力拡張処理制御部１１３Ｂは、カーソル１７２が位置している表示対象装置情報１７１の機器がコンテンツを出力する機器として決定されたと認識する。そして、その旨の決定信号を、この選択された機器と、この機器と表示装置１００との間に介在している機器と、に送信する。この決定信号を取得した各機器は、起動するとともに、その旨を報知する。
例えば、図１２に示すように「ＨＤＭＩ１」の表示対象装置情報１７１にカーソル１７２が位置している状態で決定ボタン１０Ｃが押された場合、表示入力拡張処理制御部１１３Ｂは、最適化接続構成リスト１６０に基づいて、「ＨＤＭＩ１」の機器が第１の映像音声出力機器４０１であると認識し、第１の映像音声出力機器４０１に決定信号を送信する。そして、この決定信号を受信した第１の映像音声出力機器４０１は、電力供給制御手段による電力の供給により起動するとともに、報知手段にてその旨を報知する
また、「ＨＤＭＩ７−２」に対応する第７の映像出力機器４０７が選択された場合、第７の映像音声出力機器４０７、ＨＤＤＶＤレコーダ３００、ＡＶレシーバ２００は、電力供給制御手段４０７Ｅ，３０９，２１４による映像処理部４０７Ｄ，３０６、映像転送処理部２１１への電力の供給開始により起動するとともに、報知手段４０７Ｆ，３１０，２１５によりその旨を報知する。なお、ＨＤＤＶＤレコーダ３００、ＡＶレシーバ２００でその旨を報知しない構成としてもよい。【００５５】
さらに、表示入力拡張処理制御部１１３Ｂは、最適化接続構成リスト１６０の画質調整設定情報１６６に基づいて、画像の調整状態に関する情報を取得して、映像切換処理部１１４へ出力する。調整状態に関する情報を取得した映像切換処理部１１４は、決定ボタン１０Ｃで決定された機器からのコンテンツ信号を取得して、コンテンツの画質や画面サイズを適宜調整して表示部１１１で表示させる。
例えば、第１の映像音声出力機器４０１がコンテンツを出力する機器として決定した場合、映像切換処理部１１４は、第１の映像音声出力機器４０１からのコンテンツ信号に基づくコンテンツを、設定メモリ領域１に記憶された条件で調整して表示させる。【００５６】
［ＡＶシステムの作用効果］
上述したように、上記実施形態では、以下のような作用効果を奏することができる。【００５７】
（１）ＡＶシステム１の表示装置１００は、接続状態表示制御装置１１３の表示入力拡張処理制御部１１３Ｂにて、第１〜第４の入力端子１０１〜１０４にＡＶレシーバ２００やＨＤＤＶＤレコーダ３００を介して、第１〜第７の映像音声出力機器４０１〜４０７が接続されると、この接続状態を認識する。そして、表示入力拡張処理制御部１１３Ｂは、記憶コンテンツ送信機能を備えた第１〜第７の映像音声出力機器４０１〜４０７、ＨＤＤＶＤレコーダ３００に関する最適化接続構成情報１６１を有し、記憶コンテンツ送信機能を備えないＡＶレシーバ２００に関する最適化接続構成情報１６１を有さない最適化接続構成リスト１６０を生成する。この後、接続状態表示制御装置１１３のオンスクリーン処理部１１３Ａは、最適化接続構成リスト１６０に基づいて、記憶コンテンツ送信機能を備えた各機器に関する表示対象装置情報１７１を有し、記憶コンテンツ送信機能を備えない各機器に関する表示対象装置情報１７１を有さない接続情報１７０を表示部１１１で表示させる。
このため、表示装置１００と記憶コンテンツ送信機能を有する機器との間に、リピータ機能のみを有する多くの機器が接続された場合でも、記憶コンテンツ送信機能を有する機器のみに関する表示対象装置情報１７１を表示させることができ、利用者に記憶コンテンツ送信機能を有する機器を容易に特定させることができる。【００５８】
（２）表示入力拡張処理制御部１１３Ｂは、利用者によるリモコン１０の操作に基づいて、画面表示名情報１６５の内容を変更する。そして、オンスクリーン処理部１１３Ａは、この変更された画面表示名情報１６５に基づく表示対象装置情報１７１を表示させる。
このため、表示対象装置情報１７１の内容を利用者の好みに応じて変更することができ、利用者に記憶コンテンツ送信機能を有する機器をより容易に特定させることができる。【００５９】
（３）オンスクリーン処理部１１３Ａは、所定の表示対象装置情報１７１の機器がコンテンツを出力する機器として決定された場合、この表示対象装置情報１７１の色を他の表示対象装置情報１７１とは異なるものに設定する。
このため、利用者に表示装置１００で表示されるコンテンツの出力機器を容易に特定させることができる。【００６０】
（４）映像切換処理部１１４は、最適化接続構成リスト１６０の画質調整設定情報１６６に基づく画像の調整条件に基づいて、コンテンツを表示させる。
このため、入力端子１０１〜１０４ごとに利用者の好みに応じた条件で画質などが調整されたコンテンツを表示させることができる。特に、入力端子１０１〜１０４ごとに画質調整設定情報１６６を設けているので、入力端子１０１〜１０４に接続される機器が変更されたとしても、同一の条件で調整されたコンテンツを表示させることができる。【００６１】
（５）表示装置１００に接続された第１〜第７の映像音声出力機器４０１〜４０７、ＡＶレシーバ２００、ＨＤＤＶＤレコーダ３００は、決定信号を取得すると、電力供給制御手段２１４，３０９，４０７Ｅによる電力の供給により起動する。
このため、利用者にコンテンツの出力機器である第１〜第７の映像音声出力機器４０１〜４０７、ＨＤＤＶＤレコーダ３００や、転送機器であるＡＶレシーバ２００を起動させる旨の操作を実施させることなく、これらの機器を起動させることができ、利用者にＡＶシステム１の操作を容易に実施させることができる。【００６２】
（６）表示装置１００に接続された第１〜第７の映像音声出力機器４０１〜４０７、ＡＶレシーバ２００、ＨＤＤＶＤレコーダ３００は、決定信号を取得すると、報知手段２１５，３１０，４０７Ｆによりその旨を報知する。
このため、利用者にコンテンツの出力機器や転送機器を容易に特定させることができる。【００６３】
（７）リピータ機能および記憶コンテンツ送信機能を有するＨＤＤＶＤレコーダ３００を、本発明の第１の送信装置として適用している。
このため、ツリー状の接続構造における末端に位置する第１〜第７の映像音声出力機器４０１〜４０７からのコンテンツに加えて、この末端の機器と表示装置１００との間に介在するＨＤＤＶＤレコーダ３００からのコンテンツも表示装置１００で表示させることができる。したがって、より多くの機器からのコンテンツを出力可能なＡＶシステム１を提供できる。【００６４】
（８）リピータコンテンツ送信機能を有する機器、および、この機器を介して接続された機器の画面表示名情報１６５と、表示装置１００に直接接続された機器、および、リピータ機能のみを有する機器を介して接続された機器の画面表示名情報１６５と、を異なる規則に基づき設定された文字列を表すものとしている。そして、表示装置１００は、この画面表示名情報１６５に基づく表示対象装置情報１７１を表示させる。
このため、利用者に表示対象装置情報１７１を視認させるだけで、この表示対象装置情報１７１に対応する機器の機能や接続状態を認識させることができる。【００６５】
（９）ＡＶシステム１の各機器を、映像信号、画像信号、制御信号を送信するラインを有するＨＤＭＩケーブルを介して接続している。
このため、映像信号、画像信号、制御信号のみを送信するラインをそれぞれ有するケーブルを介して接続する構成と比べて、配線作業を容易に実施できる。【００６６】
［実施形態の変形］
なお、本発明は、上述した一実施形態に限定されるものではなく、本発明の目的を達成できる範囲で以下に示される変形をも含むものである。【００６７】
すなわち、コンテンツ信号を送信可能な機器に関する表示対象装置情報１７１と、コンテンツ信号を送信不可能な機器とに関する表示対象装置情報１７１とを異なる表示形態で表示させてもよい。ここで、表示対象装置情報１７１を異なる表示形態で表示させる構成としては、コンテンツを送信可能な機器に関するもののみを表示させる第１の構成、両者の輝度、色、大きさを変更する第２の構成、送信可能か否かに関する情報を表示させる第３の構成が例示できる。以下において、第３の構成の具体的な内容について説明する。【００６８】
まず、例えば、各機器が以下の設定状態であるとする。
＜設定状態＞
・第１の映像音声出力機器４０１：コンテンツ信号送信不可能（ＤＶＤ未装着）
・第２の映像音声出力機器４０２：コンテンツ信号送信可能（選局されており録画中だが録画中の映像出力可能）
・第３の映像音声出力機器４０３：コンテンツ信号送信不可能（ＤＶＤ未装着）
・第４の映像音声出力機器４０４：コンテンツ信号送信可能（ＤＶＤ装着済み）
・第５の映像音声出力機器４０５：コンテンツ信号送信可能（録画中でなく、選局済み、ＨＤＤに録画済みコンテンツあり）
・第６の映像音声出力機器４０６：コンテンツ信号送信可能（録画中でなく、選局済み、ＨＤＤ搭載せず）
・第７の映像音声出力機器４０７：コンテンツ信号送信可能（メモリに録画されているコンテンツ信号をＨＤＤＶＤレコーダ３００に出力中）
・ＨＤＤＶＤレコーダ３００：コンテンツ信号送信可能（第７の映像音声出力機器４０７からのコンテンツ信号をＨＤＤに録画中、選局済み）【００６９】
そして、例えば、図１４〜図１６に示すように、表示装置１００は、接続状態の確認処理時に各機器についてコンテンツ信号を送信可能か否かを認識して、各入力端子リスト３５０，２５０，１５０の接続機器判定情報３５３，２５３，１５３に、コンテンツ信号を送信可能である旨の「送信可」、送信不可能である旨の「送信不可」を示すフラグ情報を追加する。この後、各入力端子リスト３５０，２５０，１５０に基づいて、図１７に示すように、コンテンツ送信可能フラグ情報１６７に、「送信可」、「送信不可」を示す情報を記録した最適化接続構成リスト１６０を生成する。そして、図１８に示すように、端子の表示名称に加えて、「送信可」または「送信不可」を示す文字を表示させる表示対象装置情報１７１を生成する。
このような構成にすれば、利用者にコンテンツ信号を送信可能な機器、すなわちコンテンツを再生可能な機器を容易に特定させることができる。【００７０】
また、図１９に示すように、記憶コンテンツ送信機能を有する機器と、リピータ機能のみを有する機器とに関する表示対象装置情報５０１の表示形態を異ならせた接続情報５００を表示させてもよい。具体的には、表示装置１００およびリピータ機能のみを有するＡＶレシーバ５０１の表示対象装置情報５０１の輝度を低くして（図中、表示対象装置情報５０１を一点鎖線で囲むことで示す）、記憶コンテンツ送信機能を有する第１〜第７の映像音声出力機器４０１〜４０７（第１ＤＶＤプレーヤ、第１ＨＤＤレコーダ、ＢＤプレーヤ、第２ＤＶＤプレーヤ、第２ＨＤＤレコーダ、ＢＤレコーダ、ビデオカメラ）と、ＨＤＤＶＤレコーダ３００と表示対象装置情報５０１の輝度を高くして（図中、表示対象装置情報５０１を一重線で囲むことで示す）もよい。
このような構成にしても、輝度の高さに基づいて、利用者に記憶コンテンツ送信機能を有する機器を容易に特定させることができる。
そして、図１９に示すような構成において、例えば第１ＤＶＤプレーヤとＢＤプレーヤとがコンテンツ信号を送信不可能で、他の機器が送信可能な状態の場合、第１ＤＶＤプレーヤとＢＤプレーヤを示す表示対象装置情報５０１の色（斜線で示す）を、他の機器の表示対象装置情報５０１の色と異ならせてもよい。【００７１】
さらに、図１９に示すような構成において、例えば第１ＤＶＤプレーヤにＤＶＤが装着されて送信不可能状態から送信可能状態に移行したことを認識して、図２０に示すように、第１ＤＶＤプレーヤの表示対象装置情報５０１の色を送信可能な状態を示す色に変更してもよい。このような構成にすれば、利用者が再生する可能性が高いＤＶＤを装着した機器を容易に特定させることができる。また、第１ＤＶＤプレーヤからＤＶＤが取り出されたら、表示対象装置情報５０１の色を送信不可能な状態を表す色に戻してもよい。【００７２】
また、図２０に示すような構成において、第２ＨＤＤレコーダにコンテンツ信号を送信可能な第３ＨＤＤレコーダが接続されたことを認識して、図２１に示すように、この新たに接続された第３ＨＤＤレコーダの表示対象装置情報５０１を点滅させてもよい（図中、表示対象装置情報５０１を二重線で囲むことで示す）。なお、機器が送信不可能状態から送信可能状態に移行したときと同様に表示形態を変更してもよい。このような構成にすれば、ＡＶシステム１に新たに接続された機器を容易に特定させることができる。【００７３】
また、表示入力拡張処理制御部１１３Ｂに、画面表示名情報１６５を変更する機能を設けなくてもよい。
さらに、オンスクリーン処理部１１３Ａに、所定の表示対象装置情報１７１の機器がコンテンツを出力する機器として決定された場合であっても、この表示対象装置情報１７１の色を変更する機能を設けなくてもよい。また、表示対象装置情報１７１の色を変更せずに、表示対象装置情報１７１を点滅させてもよい。【００７４】
そして、最適化接続構成リスト１６０に画質調整設定情報１６６を設けずに、映像切換処理部１１４にて、リモコン１０の操作に基づいて画像を調整してもよい。
また、決定ボタン１０Ｃの操作によりコンテンツの出力機器が決定した場合でも、この出力機器を起動させなくてもよいし、この出力機器でその旨を報知しなくてよい。
さらに、リピータコンテンツ送信機能を有する機器、および、この機器を介して接続された機器の画面表示名情報１６５と、表示装置１００に直接接続された機器、および、リピータ機能のみを有する機器を介して接続された機器の画面表示名情報１６５と、を同一の規則に基づき設定された文字列を表すものとしてもよい。つまり、図８に示す画面表示名情報１６５で表される「ＨＤＭＩ７−１」、「ＨＤＭＩ７−２」の文字列を、「ＨＤＭＩ７」、「ＨＤＭＩ８」などとしてもよい。
そして、リピータコンテンツ送信機能を有する機器の画面表示名情報１６５と、この機器を介して接続された機器の画面表示名情報１６５と、を異なる規則に基づき設定された文字列を表すものとしてもよい。つまり、図８に示す画面表示名情報１６５で表される「ＨＤＭＩ７−２」の文字列を、「ＨＤＭＩ７−１−１」などとしてもよい。【００７５】
また、本発明を、映像信号、画像信号、制御信号のみを送信するラインをそれぞれ有するケーブルを介して接続する構成に適用してもよい。
そして、第７の映像音声出力機器４０７から出力されるコンテンツ信号をＨＤＤＶＤレコーダ３００の記憶手段３０５に記憶しつつ、このコンテンツ信号に基づくコンテンツを表示装置１００で表示させてもよい。さらには、第７の映像音声出力機器４０７から出力されるコンテンツ信号をＨＤＤＶＤレコーダ３００の記憶手段３０５に記憶しつつ、この記憶手段３０５に記憶された他のコンテンツ信号に基づくコンテンツを表示装置１００で表示させてもよい。【００７６】
そして、本発明のコンテンツ発生機能を有する送信装置として、配信装置としてのサーバや放送局などから配信されるコンテンツ信号を取得して送信する配信コンテンツ送信部としてのチューナを備えた機器を適用してもよい。【００７７】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。【００７８】
その他、本発明の実施の際の具体的な構造および手順は、本発明の目的を達成できる範囲で他の構造などに適宜変更できる。【００７９】
［実施形態の効果］
上述したように、上記実施形態では、ＡＶシステム１の表示装置１００は、第１〜第４の入力端子１０１〜１０４にＡＶレシーバ２００やＨＤＤＶＤレコーダ３００を介して、第１〜第７の映像音声出力機器４０１〜４０７が接続されると、記憶コンテンツ送信機能を備えた第１〜第７の映像音声出力機器４０１〜４０７、ＨＤＤＶＤレコーダ３００に関する表示対象装置情報１７１を有し、記憶コンテンツ送信機能を備えないＡＶレシーバ２００に関する表示対象装置情報１７１を有さない接続情報１７０を表示部１１１で表示させる。
このため、表示装置１００と記憶コンテンツ送信機能を有する機器との間に、リピータ機能のみを有する多くの機器が接続された場合でも、記憶コンテンツ送信機能を有する機器のみに関する表示対象装置情報１７１を表示させることができ、利用者に記憶コンテンツ送信機能を有する機器を容易に特定させることができる。
【産業上の利用可能性】
【００８０】
本発明は、コンテンツ処理装置の入力端子に転送装置を介して送信装置が接続されたときの接続状態を表示部で表示させる接続状態表示制御装置、コンテンツ処理装置、コンテンツ処理システム、接続状態表示制御方法、そのプログラム、および、そのプログラムを記録した記録媒体として利用できる。
【図１】
2009113170.tif 000003
【図２】
2009113170.tif 000004
【図３】
2009113170.tif 000005
【図４】
2009113170.tif 000006
【図５】
2009113170.tif 000007
【図６】
2009113170.tif 000008
【図７】
2009113170.tif 000009
【図８】
2009113170.tif 000010
【図９】
2009113170.tif 000011
【図１０】
2009113170.tif 000012
【図１１】
2009113170.tif 000013
【図１２】
2009113170.tif 000014
【図１３】
2009113170.tif 000015
【図１４】
2009113170.tif 000016
【図１５】
2009113170.tif 000017
【図１６】
2009113170.tif 000018
【図１７】
2009113170.tif 000019
【図１８】
2009113170.tif 000020
【図１９】
2009113170.tif 000021
【図２０】
2009113170.tif 000022
【図２１】
2009113170.tif 000023
【手続補正書】
【提出日】平成22年9月2日(2010.9.2)
【手続補正１】
【補正対象書類名】明細書
【補正対象項目名】全文
【補正方法】変更
【補正の内容】
【発明の詳細な説明】
【技術分野】
【０００１】
本発明は、コンテンツ処理装置の入力端子に転送装置を介して送信装置が接続されたときの接続状態を表示部で表示させる接続状態表示制御装置、コンテンツ処理装置、コンテンツ処理システム、接続状態表示制御方法、そのプログラム、および、そのプログラムを記録した記録媒体に関する。
【背景技術】
【０００２】
従来、複数の機器を複数の階層を有するツリー状に接続して、最も下位の階層の機器の処理内容を最も上位の階層の機器において出力する構成が知られている（例えば、特許文献１および特許文献２参照）。また、画像が分類された仮想フォルダを、複数の階層を有するツリー状に関連付けて表示する構成が知られている（例えば、特許文献３参照）。
【０００３】
特許文献１に記載のものは、コンポーネント１〜４を備えている。コンポーネント４の入力端子には、コンポーネント１およびコンポーネント２の出力端子が接続されている。また、コンポーネント１の入力端子には、コンポーネント３の出力端子が接続されている。さらに、コンポーネント１〜４は、制御バスに接続されている。
そして、コンポーネント３から出力された出力信号は、コンポーネント１を介してコンポーネント４へ送信され、このコンポーネント４において適宜処理される構成が採られている。
【０００４】
特許文献２に記載のものは、ディスプレイと、このディスプレイにＨＤＭＩ（High-Definition Multimedia Interface）で接続されたＡＶ（Audio Visual）スイッチと、このＡＶスイッチの３個の受信インターフェースにそれぞれＨＤＭＩで接続される３個のＳＴＢ（Set Top Box）と、を備えている。
そして、ディスプレイは、リモコンから発せられるリモコンコードをＡＶスイッチに転送する。ＡＶスイッチは、リモコンコードに対応するＳＴＢからのＡＶデータをディスプレイに転送する。そして、ディスプレイにおいて、この転送されたＡＶデータを表示、再生する構成が採られている。
【０００５】
特許文献３に記載のものは、選択フォルダ内の画像を所定の時間間隔ごとに異なり、かつ、階層構造を有するカテゴリに振り分ける。そして、振り分けたカテゴリのアイコンをツリー状に表示させる構成が採られている。
【先行技術文献】
【特許文献】
【０００６】
【特許文献１】特表２００７−５２４２８５号公報
【特許文献２】特開２００４−２０８２９０号公報
【特許文献３】特開２００７−５８７９２号公報
【発明の概要】
【発明が解決しようとする課題】
【０００７】
ところで、特許文献１，２のような構成において各機器の接続状態を表示させる場合、特許文献３のような構成を用いて、各機器の接続状態をツリー状に表示させることが考えられる。しかしながら、このようにツリー状に表示させる構成では、表示装置で表示させる画像信号を送信する機器（以下、送信装置と称す）を表す情報の他に、この送信装置と表示装置との間に介在し画像信号のコンテンツ転送機能のみを有する機器（以下、転送装置と称す）を表す情報が表示されてしまう。
このため、転送装置の増加に伴いツリー状の階層が多くなった場合、多くの転送装置を表す情報が表示されてしまい、実際に表示装置で表示させる画像信号を送信する送信装置を特定するのが困難になるおそれがある。
また、ＨＤＤＶＤ（High Definition DVD）レコーダが他の映像音声出力機器から出力されるコンテンツ信号を録画しているときは、そのＨＤＤＶＤレコーダにチューナ機能があっても、そのチューナからのコンテンツ信号を外部に送信することはできず、ＨＤＤＶＤレコーダに入力されるコンテンツ信号を外部に転送することしかできない場合がある。また、アンテナが接続されていないチューナ、ＤＶＤディスクが挿入されていないＤＶＤプレーヤは、コンテンツ信号を外部に出力することができない。このような場合は、実際に表示させる画像信号を送信する送信装置を特定する際に、実質的にコンテンツ信号を送信する機能が機能する送信装置のみを送信装置として特定する方が利用者にとって分かりやすい。
【０００８】
本発明の目的は、コンテンツ信号を送信する送信装置を容易に特定可能な接続状態表示制御装置、コンテンツ処理装置、コンテンツ処理システム、接続状態表示制御方法、そのプログラム、および、そのプログラムを記録した記録媒体を提供することである。
本発明の他の目的は、コンテンツ信号を送信する機能が実質的に動作可能な送信装置を容易に特定可能な接続状態表示制御装置、コンテンツ処理装置、コンテンツ処理システム、接続状態表示制御方法、そのプログラム、および、そのプログラムを記録した記録媒体を提供することである。
【課題を解決するための手段】
【０００９】
本発明の接続状態表示制御装置は、各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、を備えたコンテンツ処理装置に設けられ、前記コンテンツ信号を発生するコンテンツ発生機能を有する信号処理装置を送信装置とし、前記コンテンツ発生機能を有さないが前記コンテンツ信号を転送するコンテンツ転送機能を有する信号処理装置を転送装置としたとき、少なくとも１個の前記転送装置を介して前記コンテンツ信号を送信する少なくとも１個の前記送信装置が前記入力端子に接続されたときに、この接続状態を前記表示部で表示させる接続状態表示制御装置であって、前記接続状態を認識して、前記送信装置および前記転送装置をそれぞれ特定する表示対象装置情報を有する接続情報を生成する接続情報生成手段と、前記表示対象装置情報のうち前記送信装置の表示対象装置情報のみを前記表示部で表示させる、または、前記送信装置の表示対象装置情報と前記転送装置の表示対象装置情報を異なった表示形態で表示させる接続情報表示制御手段と、を具備したことを特徴とする。
【００１０】
本発明のコンテンツ処理装置は、各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、上述の接続状態表示制御装置と、を具備したことを特徴とする。
【００１１】
本発明のコンテンツ処理システムは、上述のコンテンツ処理装置と、前記送信装置と、前記転送装置と、を具備したことを特徴とする。
【００１２】
本発明の接続状態表示制御方法は、各種情報を表示可能な表示部と、音声信号および画像信号のうち少なくとも一方を有するコンテンツ信号を入力可能な入力端子と、この入力端子を介して入力される前記コンテンツ信号を処理するコンテンツ処理部と、を備えたコンテンツ処理装置に設けられた演算手段にて、前記コンテンツ信号を発生するコンテンツ発生機能を有する信号処理装置を送信装置とし、前記コンテンツ発生機能を有さないが前記コンテンツ信号を転送するコンテンツ転送機能を有する信号処理装置を転送装置としたとき、少なくとも１個の前記転送装置を介して前記コンテンツ信号を送信する少なくとも１個の前記送信装置が前記入力端子に接続されたときに、この接続状態を前記表示部で表示させる接続状態表示制御方法であって、前記演算手段は、前記接続状態を認識して、前記送信装置および前記転送装置をそれぞれ特定する表示対象装置情報を有する接続情報を生成し、前記表示対象装置情報のうち前記送信装置の表示対象装置情報のみを前記表示部で表示させる、または、前記送信装置の表示対象装置情報と前記転送装置の表示対象装置情報を異なった表示形態で表示させることを特徴とする。
【００１３】
本発明の接続状態表示制御プログラムは、上述の接続状態表示制御方法を演算手段に実行させることを特徴とする。
【００１４】
本発明の接続状態表示制御プログラムは、演算手段を上述の接続状態表示制御装置として機能させることを特徴とする。
【００１５】
本発明の接続状態表示制御プログラムを記録した記録媒体は、上述の接続状態表示制御プログラムが演算手段にて読取可能に記録されたことを特徴とする。
【図面の簡単な説明】
【００１６】
【図１】本発明の一実施形態に係るＡＶシステムの概略構成を示すブロック図である。
【図２】前記一実施形態におけるＨＤＤＶＤレコーダおよび映像音声出力機器の概略構成を示すブロック図である。
【図３】前記一実施形態におけるレコーダ入力端子リストを示す模式図である。
【図４】前記一実施形態におけるＡＶレシーバの概略構成を示すブロック図である。
【図５】前記一実施形態におけるレシーバ入力端子リストを示す模式図である。
【図６】前記一実施形態における表示装置の概略構成を示すブロック図である。
【図７】前記一実施形態における表示入力端子リストを示す模式図である。
【図８】前記一実施形態における最適化接続構成リストを示す模式図である。
【図９】前記一実施形態における最適化接続構成リストの生成処理を示すフローチャートである。
【図１０】前記一実施形態における入力端子判断処理を示すフローチャートである。
【図１１】前記一実施形態におけるリピータ入力端子判断処理を示すフローチャートである。
【図１２】前記一実施形態における画面表示名が変更されていない場合の接続情報の表示状態を示す模式図である。
【図１３】前記一実施形態における画面表示名が変更された場合の接続情報の表示状態を示す模式図である。
【図１４】本発明の変形例に係るレコーダ入力端子リストを示す模式図である。
【図１５】前記変形例におけるレシーバ入力端子リストを示す模式図である。
【図１６】前記変形例における表示入力端子リストを示す模式図である。
【図１７】前記変形例における最適化接続構成リストを示す模式図である。
【図１８】前記変形例における画面表示名が変更されていない場合の接続情報の表示状態を示す模式図である。
【図１９】本発明の他の変形例に係る接続情報の表示状態を示す模式図である。
【図２０】本発明のさらに他の変形例に係る接続情報の表示状態を示す模式図である。
【図２１】本発明のさらに他の変形例に係る接続情報の表示状態を示す模式図である。
【発明を実施するための形態】
【００１７】
以下、本発明の一実施形態を図面に基づいて説明する。
本実施形態では、コンテンツ処理装置としての表示装置に、データ線および制御線を有しＨＤＭＩ規格に準拠したＨＤＭＩケーブルを介して、複数の機器が複数の階層を有するツリー状に接続されたコンテンツ処理システムとしてのＡＶシステムを例示して説明する。
なお、ここでは、ＡＶシステムで処理するコンテンツ信号として、画像信号としての映像信号および音声信号を有する構成を例示するが、映像信号のみ、あるいは音声信号のみを有するコンテンツ信号を処理対象としてもよい。また、信号の伝送方式としては、ＨＤＭＩ規格に準拠したものに限らず、ＩＥＥＥ（The Institute of Electrical and Electronics Engineers）１３９４規格によるＭＰＥＧ圧縮データを用いた映像・音声伝送方式、Ｄ映像端子（Ｄ端子とも呼ばれる）を用いたＹ（輝度信号）／Ｐｂ（青色色差信号）／Ｐｒ（赤色色差信号）のコンポーネント映像伝送方式、ＩＥＣ（International Electrotechnical Commission）６０９５８規格、ＩＥＣ６１９３７規格によるデジタルオーディオフォーマットでの光デジタル音声伝送方式などを用いてもよい。
また、以下において、リピータ機能（コンテンツ転送機能）とは、各機器において映像信号、音声信号、制御信号を転送できる機能を意味する。このリピータ機能対応の機器に入力された映像信号、音声信号、制御信号は、各機器を経由して出力端子から送信される。さらに、コンテンツ発生機能としての記憶コンテンツ送信機能とは、機器が有する記憶手段に記憶されたコンテンツ信号を読み出して送信する機能を意味する。なお、リピータ機能および記憶コンテンツ送信機能の両方をまとめて説明する際には、リピータコンテンツ送信機能と称する。
【００１８】
［ＡＶシステムの構成］
まず、ＡＶシステムの構成について説明する。
図１は、ＡＶシステムの概略構成を示すブロック図である。図２は、ＨＤＤＶＤレコーダおよび映像音声出力機器の概略構成を示すブロック図である。図３は、レコーダ入力端子リストを示す模式図である。図４は、ＡＶレシーバの概略構成を示すブロック図である。図５は、レシーバ入力端子リストを示す模式図である。図６は、表示装置の概略構成を示すブロック図である。図７は、表示入力端子リストを示す模式図である。図８は、最適化接続構成リストを示す模式図である。
【００１９】
図１に示すように、コンテンツ処理システムとしてのＡＶシステム１は、コンテンツ処理装置としての表示装置１００と、転送装置としてのＡＶレシーバ２００と、第１の送信装置としてのＨＤＤＶＤレコーダ３００と、第３の送信装置としての第１〜第６の映像音声出力機器４０１〜４０６と、第２の送信装置としての第７の映像音声出力機器４０７と、を備えている。ここで、第１〜第７の映像音声出力機器４０１〜４０７は、それぞれ例えば第１ＤＶＤプレーヤ（ＤＶＤプレーヤ１）、第１ＨＤＤレコーダ（ＨＤＤレコーダ１）、ＢＤ（Blu-ray Disc）プレーヤ、第２ＤＶＤプレーヤ（ＤＶＤプレーヤ２）、第２ＨＤＤレコーダ（ＨＤＤレコーダ２）、ＢＤレコーダ、ビデオカメラである。
表示装置１００は、ＡＶレシーバ２００と、第１〜第３の映像音声出力機器４０１〜４０３と、に接続されている。また、ＡＶレシーバ２００を介して、ＨＤＤＶＤレコーダ３００と、第４〜第６の映像音声出力機器４０４〜４０６と、に接続されている。さらに、ＨＤＤＶＤレコーダ３００を介して、第７の映像音声出力機器４０７に接続されている。つまり、表示装置１００には、ＡＶレシーバ２００と、ＨＤＤＶＤレコーダ３００と、第１〜第７の映像音声出力機器４０１〜４０７と、が３個の階層を有するツリー状に接続されている。
そして、表示装置１００には、ツリー状の末端に接続された第１〜第７の映像音声出力機器４０１〜４０７と、リピータコンテンツ送信機能を有するＨＤＤＶＤレコーダ３００と、からのコンテンツ信号が入力される。したがって、表示装置１００は、これらのコンテンツ信号を表示可能である。なお、表示装置１００の詳細な構成については後述する。
【００２０】
ここで、図１、図２、図４および図６において、各構成を接続する線を２種類の太さで示しているが、太い線は、映像信号および音声信号などのデータを送受信するためのデータ線を表し、細い線は、映像を表示したりや音声を出力するための制御信号などの信号を送受信するための制御線を表す。また、音声信号を処理する構成については、図示をしていない。また、インターフェース処理部を、Ｉ／Ｆ処理部と称す。
【００２１】
第７の映像音声出力機器４０７は、図２に示すように、出力端子４０７Ａと、Ｉ／Ｆ処理部４０７Ｂと、記憶手段４０７Ｃと、映像処理部４０７Ｄと、電力供給制御手段４０７Ｅと、報知手段４０７Ｆと、を備えている。この第７の映像音声出力機器４０７は、記憶コンテンツ送信機能を有するがリピータ機能を有しておらず、その旨の信号を後述する認証処理時にＨＤＤＶＤレコーダ３００へ送信する。
【００２２】
出力端子４０７Ａは、ＨＤＭＩケーブルが着脱可能な構成を有している。記憶手段４０７Ｃは、コンテンツ信号を適宜読み出し可能に記憶している。この記憶手段４０７Ｃとしては、ＨＤ、ＤＶＤ、光ディスク、メモリカードなどの記録媒体に読み出し可能に記憶するドライブやドライバなどが例示できる。
映像処理部４０７Ｄは、電力供給制御手段４０７Ｅから供給される電力により起動し、記憶手段４０７Ｃのコンテンツ信号を読み出して、Ｉ／Ｆ処理部４０７Ｂを介してＨＤＤＶＤレコーダ３００へ送信する。
電力供給制御手段４０７Ｅは、Ｉ／Ｆ処理部４０７Ｂを介して、第７の映像音声出力機器４０７がコンテンツ信号を出力する機器として決定した旨の決定信号を取得すると、映像処理部４０７Ｄへ電力を供給して起動させる。
報知手段４０７Ｆは、Ｉ／Ｆ処理部４０７Ｂを介して決定信号を取得すると、その旨を報知する。この報知手段４０７Ｆとしては、各種情報を光で報知するＬＥＤなどの発光装置、音で報知するスピーカなどの音声出力装置が例示できる。
【００２３】
なお、ＨＤＤＶＤレコーダ３００およびＡＶレシーバ２００の後述する記憶手段３０５、電力供給制御手段３０９，２１４、報知手段３１０，２１５は、第７の映像音声出力機器４０７の記憶手段４０７Ｃ、電力供給制御手段４０７Ｅ、報知手段４０７Ｆと同様の構成を有しているので、以下において説明を省略する。
【００２４】
ＨＤＤＶＤレコーダ３００は、入力端子３０１と、出力端子３０２と、入力側Ｉ／Ｆ処理部３０３と、出力側Ｉ／Ｆ処理部３０４と、記憶手段３０５と、映像処理部３０６と、レコーダ入力拡張構成メモリ３０７と、レコーダ入力拡張処理制御部３０８と、電力供給制御手段３０９と、報知手段３１０と、を備えている。このＨＤＤＶＤレコーダ３００は、リピータ機能と、記憶コンテンツ送信機能と、を有しており、その旨の信号を認証処理時にＡＶレシーバ２００へ送信する。
【００２５】
入力端子３０１および出力端子３０２は、ＨＤＭＩケーブルが着脱可能な構成を有している。
映像処理部３０６は、送信コンテンツ転送部３０６Ａと、記憶コンテンツ送信部３０６Ｂと、を備えている。
送信コンテンツ転送部３０６Ａは、入力側Ｉ／Ｆ処理部３０３を介して第７の映像音声出力機器４０７から送信されたコンテンツ信号を取得する。そして、このコンテンツ信号に適宜処理を施して、出力側Ｉ／Ｆ処理部３０４を介してＡＶレシーバ２００へ転送する。
記憶コンテンツ送信部３０６Ｂは、記憶手段３０５のコンテンツ信号を送信する旨の要求を認識すると、記憶手段３０５からコンテンツ信号を読み出して、適宜処理を施した後にＡＶレシーバ２００へ送信する。
【００２６】
レコーダ入力拡張構成メモリ３０７には、図３に示すようなレコーダ入力端子リスト３５０が適宜読み出し可能に記憶されている。
レコーダ入力端子リスト３５０は、入力端子３０１に接続された機器に関する入力端子接続構成情報３５１を有している。この入力端子接続構成情報３５１は、端子名称情報３５２と、接続機器判定情報３５３と、仮接続番号情報３５４と、を備えている。
端子名称情報３５２は、例えばあらかじめ設定されている入力端子３０１の名称を示す。接続機器判定情報３５３は、入力端子３０１に機器が接続されているか否か、接続された機器がリピータ機能や記憶コンテンツ送信機能を有しているか否かを示す。仮接続番号情報３５４は、例えばあらかじめ設定されているＡＶシステム１全体で設定された仮の接続番号（仮接続番号）を示す。
レコーダ入力拡張処理制御部３０８は、入力端子３０１に接続された機器との認証結果に基づいて、レコーダ入力端子リスト３５０を適宜更新する。そして、この更新したレコーダ入力端子リスト３５０をＡＶレシーバ２００へ送信する。なお、レコーダ入力拡張処理制御部３０８の詳細な動作については後述する。
【００２７】
ＡＶレシーバ２００は、第１〜第４の入力端子２０１〜２０４と、出力端子２０５と、第１〜第４の入力側Ｉ／Ｆ処理部２０６〜２０９と、出力側Ｉ／Ｆ処理部２１０と、映像転送処理部２１１と、レシーバ入力拡張構成メモリ２１２と、レシーバ入力拡張処理制御部２１３と、電力供給制御手段２１４と、報知手段２１５と、を備えている。このＡＶレシーバ２００は、リピータ機能を有しており、記憶コンテンツ送信機能を有しておらず、その旨の信号を認証処理時に表示装置１００へ送信する。
【００２８】
第１〜第４の入力端子２０１〜２０４および出力端子２０５は、ＨＤＭＩケーブルが着脱可能な構成を有している。
映像転送処理部２１１は、第１〜第４の入力側Ｉ／Ｆ処理部２０６〜２０９を介して第４〜第６の映像音声出力機器４０４〜４０６、ＨＤＤＶＤレコーダ３００から送信されるコンテンツ信号を取得する。そして、いずれか１個のコンテンツ信号に適宜処理を施して、出力側Ｉ／Ｆ処理部２１０を介して表示装置１００へ転送する。
【００２９】
レシーバ入力拡張構成メモリ２１２には、図５に示すようなレシーバ入力端子リスト２５０が適宜読み出し可能に記憶されている。
レシーバ入力端子リスト２５０は、第１〜第４の入力端子２０１〜２０４に接続された機器に関する４個の入力端子接続構成情報２５１を有している。この入力端子接続構成情報２５１は、レコーダ入力端子リスト３５０の端子名称情報３５２、接続機器判定情報３５３、仮接続番号情報３５４と同様の内容を有する、端子名称情報２５２と、接続機器判定情報２５３と、仮接続番号情報２５４と、を備えている。
レシーバ入力拡張処理制御部２１３は、第１〜第４の入力端子２０１〜２０４に接続された機器との認証結果に基づいて、レシーバ入力端子リスト２５０を適宜更新して、表示装置１００へ送信する。また、ＨＤＤＶＤレコーダ３００から送信されるレコーダ入力端子リスト３５０を表示装置１００へ転送する。なお、レシーバ入力拡張処理制御部２１３の詳細な動作については後述する。
【００３０】
表示装置１００は、図６に示すように、第１〜第４の入力端子１０１〜１０４と、第１〜第４のＩ／Ｆ処理部１０５〜１０８と、受光部１０９と、入力切換部１１０と、表示部１１１と、入力端子処理情報記憶手段としての表示入力拡張構成メモリ１１２と、演算手段としての接続状態表示制御装置１１３と、コンテンツ処理部としての映像切換処理部１１４と、を備えている。
【００３１】
第１〜第４の入力端子１０１〜１０４は、ＨＤＭＩケーブルが着脱可能な構成を有している。
受光部１０９は、その一部が表示装置１００のケース体１００Ａ（図１２参照）の外部に露出する状態で設けられている。この受光部１０９は、リモートコントローラ（以下、リモコンと称す）１０から赤外線Ｌを受光して、この赤外線Ｌを利用して送信された操作信号を入力切換部１１０へ送信する。
入力切換部１１０は、受光部１０９からの操作信号に基づいて、利用者が視聴するコンテンツを送信する第１〜第７の映像音声出力機器４０１〜４０７やＨＤＤＶＤレコーダ３００の選択などに関する処理信号を接続状態表示制御装置１１３へ出力する。
表示部１１１は、映像切換処理部１１４から出力される映像信号に基づく映像などを表示する。この表示部１１１としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動表示装置パネルなどが例示できる。
【００３２】
表示入力拡張構成メモリ１１２には、図７に示すような表示入力端子リスト１５０と、図８に示すような入力端子処理情報としての最適化接続構成リスト１６０と、が適宜読み出し可能に記憶されている。
【００３３】
表示入力端子リスト１５０は、第１〜第４の入力端子１０１〜１０４に接続された機器に関する４個の入力端子接続構成情報１５１を有している。具体的には、入力端子接続構成情報１５１は、レシーバ入力端子リスト２５０の端子名称情報２５２、接続機器判定情報２５３、仮接続番号情報２５４と同様の内容を有する、端子名称情報１５２と、接続機器判定情報１５３と、仮接続番号情報１５４と、を備えている。
【００３４】
最適化接続構成リスト１６０は、表示入力端子リスト１５０、レシーバ入力端子リスト２５０、レコーダ入力端子リスト３５０に基づいて生成される。この最適化接続構成リスト１６０は、表示装置１００に接続された機器のうち、少なくとも記憶コンテンツ送信機能を有する機器のみに関する最適化接続構成情報１６１である。この最適化接続構成情報１６１は、検出接続端子情報１６２と、入力端子情報としての最適化入力端子情報１６３と、接続装置情報１６４と、画面表示名情報１６５と、処理形態情報としての画質調整設定情報１６６と、を備えている。
【００３５】
検出接続端子情報１６２は、仮接続番号情報１５４、２５４，３５４と同一の内容を示す。
最適化入力端子情報１６３は、検出接続端子情報１６２で仮接続番号が示される全ての端子を、表示装置１００が有しているものとして最適化した端子名称を示す。
接続装置情報１６４は、接続機器判定情報３５３，２５３，１５３で示される機器の名称や型式などを示す。
画面表示名情報１６５は、後述する表示対象装置情報１７１として表示部１１１で表示される端子の表示名称を示す。この画面表示名情報１６５には、あらかじめ設定された表示名称、あるいは利用者により変更された表示名称が記録される。ここで、図８の「ＨＤＭＩ１→ＤＶＤプレーヤ１」は、あらかじめ設定された「ＨＤＭＩ１」の表示名称が「ＤＶＤプレーヤ１」の表示名称に変更された旨を示している。
画質調整設定情報１６６は、画像の調整に利用される情報が記憶されたメモリ領域を示す。ここで、図８の「設定メモリ領域１用確保」は、「入力１」の端子に接続された機器からのコンテンツ信号に基づくコンテンツを、表示入力拡張構成メモリ１１２の図示しない設定メモリ領域１に記憶された画質や画面サイズの調整条件で表示部１１１に表示させる旨を示している。
【００３６】
接続状態表示制御装置１１３は、各種プログラムにより構成され、接続情報表示制御手段としてのオンスクリーン処理部１１３Ａと、接続情報生成手段および決定信号送信手段としての表示入力拡張処理制御部１１３Ｂと、を備えている。
【００３７】
オンスクリーン処理部１１３Ａは、利用者によるリモコン１０の操作に基づいて、表示入力拡張処理制御部１１３Ｂから最適化接続構成リスト１６０を取得して、最適化接続構成情報１６１の数と同数の表示対象装置情報１７１を有する接続情報１７０（図１２参照）を表示部１１１で表示させる。
表示対象装置情報１７１は、画面表示名情報１６５に基づく、第１〜第７の映像音声出力機器４０１〜４０７、ＨＤＤＶＤレコーダ３００を特定するための情報である。つまり、接続情報１７０は、記憶コンテンツ送信機能を有する第１〜第７の映像音声出力機器４０１〜４０７、ＨＤＤＶＤレコーダ３００と特定する情報を有し、記憶コンテンツ送信機能を有さないＡＶレシーバ２００を特定する情報を有していない。
なお、オンスクリーン処理部１１３Ａの接続情報１７０に関する他の処理については後述する。
【００３８】
表示入力拡張処理制御部１１３Ｂは、表示入力端子リスト１５０および最適化接続構成リスト１６０を生成する。また、利用者によるリモコン１０の操作に基づいて、画面表示名情報１６５や画質調整設定情報１６６の内容を変更する。なお、表示入力端子リスト１５０および最適化接続構成リスト１６０の生成処理については後述する。
また、表示入力拡張処理制御部１１３Ｂは、入力切換部１１０を介して入力される、所定の機器からのコンテンツ信号のコンテンツを表示させる旨の信号を取得すると、映像切換処理部１１４を制御して、そのコンテンツを表示部１１１で表示させる。また、この選択された機器と、この機器と表示装置１００との間に介在している機器と、に決定信号を送信して、これらの機器にその旨を報知させる。
【００３９】
映像切換処理部１１４は、表示入力拡張処理制御部１１３Ｂの制御に基づいて、第１〜第４の入力端子１０１〜１０４に接続された機器のコンテンツ信号に基づいて、画質調整設定情報１６６に基づく画質や画面サイズのコンテンツを表示部１１１で表示させる。
【００４０】
［ＡＶシステムの動作］
次に、ＡＶシステム１の動作について説明する。
【００４１】
〔最適化接続構成リストの生成処理〕
まず、ＡＶシステム１の動作として、最適化接続構成リスト１６０の生成処理について説明する。
図９は、最適化接続構成リストの生成処理を示すフローチャートである。図１０は、入力端子判断処理を示すフローチャートである。図１１は、リピータ入力端子判断処理を示すフローチャートである。
【００４２】
まず、図１に示すように各機器が接続された後に、ＡＶシステム１の表示装置１００が起動すると、各機器も連動して動作する。そして、表示装置１００、ＡＶレシーバ２００、ＨＤＤＶＤレコーダ３００は、接続されている機器を検出して、最適化接続構成リスト１６０を生成する。
具体的には、表示装置１００は、接続状態表示制御装置１１３の表示入力拡張処理制御部１１３Ｂにて、図９に示すように、第１〜第４の入力端子１０１〜１０４の接続状態に基づいて表示入力端子リスト１５０を生成する入力端子判断処理を実施する（ステップＳ１）。
この後、表示入力拡張処理制御部１１３Ｂは、全ての入力端子について接続状態を確認したか否かを判断する（ステップＳ２）。このステップＳ２において、全ての入力端子について確認していないと判断した場合、次に接続状態を確認すべき入力端子を確認して（ステップＳ３）、ステップＳ１の処理を実施する。一方、表示入力拡張処理制御部１１３Ｂは、ステップＳ２において、全ての入力端子について接続状態を確認して表示入力端子リスト１５０が生成されたと判断した場合、各入力端子接続構成から全入力端子構成の最適化処理を実施して、最適化接続構成リスト１６０を生成する（ステップＳ４）。
【００４３】
具体的には、表示入力拡張処理制御部１１３Ｂは、表示入力端子リスト１５０、ＡＶレシーバ２００で生成されたレシーバ入力端子リスト２５０、ＨＤＤＶＤレコーダ３００で生成されたレコーダ入力端子リスト３５０に基づいて、記憶コンテンツ送信機能を有する機器を認識する。
例えば、図３に示すようなレコーダ入力端子リスト３５０が生成された場合、第７の映像音声出力機器４０７を記憶コンテンツ送信機能を有する機器として認識する。また、図５に示すようなレシーバ入力端子リスト２５０が生成された場合、第４〜６の映像音声出力機器４０４〜４０６、ＨＤＤＶＤレコーダ３００を記憶コンテンツ送信機能を有する機器として認識する。さらに、図７に示すような表示入力端子リスト１５０が生成された場合、第１〜３の映像音声出力機器４０１〜４０３を記憶コンテンツ送信機能を有する機器として認識し、ＡＶレシーバ２００を記憶コンテンツ送信機能を有さない機器として認識する。
そして、表示入力拡張処理制御部１１３Ｂは、これら記憶コンテンツ送信機能を有するそれぞれの機能に関する最適化接続構成情報１６１を生成して、これらをリスト化した最適化接続構成リスト１６０を生成する。
この後、表示入力拡張処理制御部１１３Ｂは、この生成した最適化接続構成リスト１６０を表示入力拡張構成メモリ１１２に記憶させる（ステップＳ５）。
【００４４】
なお、最適化接続構成情報１６１の生成時において、表示入力拡張処理制御部１１３Ｂは、リピータコンテンツ送信機能を有する機器の画面表示名情報１６５として、「ＨＤＭＩＰ−Ｑ（Ｐ，Ｑは自然数）」の文字列を表すものを生成する。また、リピータコンテンツ送信機能を有する機器を介して接続された、記憶コンテンツ送信機能のみを有する機器の画面表示名情報１６５として、「ＨＤＭＩＰ−Ｑ」の文字列を表すものを生成する。さらに、リピータ機能のみを有する機器を介して接続された機器、あるいは、表示装置１００に直接接続された機器の画面表示名情報１６５として、「ＨＤＭＩＬ（Ｌは自然数）」の文字列を表すものを生成する。
例えば、図８に示すように、表示装置１００に直接接続された第１〜第３の映像音声出力機器４０１〜４０３、および、リピータ機能のみを有するＡＶレシーバ２００を介して接続された第４〜第６の映像音声出力機器４０４〜４０６の画面表示名情報１６５として、「ＨＤＭＩ１（〜６）」の文字列を表すものを生成する。また、リピータコンテンツ送信機能を有するＨＤＤＶＤレコーダ３００、このＨＤＤＶＤレコーダ３００を介して接続された第７の映像音声出力機器４０７の画面表示名情報１６５として、「ＨＤＭＩ７−１（２）」の文字列を表すものを生成する。
【００４５】
一方、ステップＳ１における入力端子判断処理では、表示入力拡張処理制御部１１３Ｂは、図１０に示すように、各Ｉ／Ｆ処理部１０５〜１０８を介して認証処理を実施することにより、各入力端子１０１〜１０４に接続されている機器があるか否かを判断する（ステップＳ１１）。このステップＳ１１において、接続機器があると判断した場合、この機器がリピータ機能を有しているか否かを判断する（ステップＳ１２）。
そして、表示入力拡張処理制御部１１３Ｂは、ステップＳ１２において、接続状態の確認対象が第１〜第３の入力端子１０１〜１０３であり、これらに接続された第１〜第３の映像音声出力機器４０１〜４０３がリピータ機能を有していない場合、あるいは、ステップＳ１１で接続機器がないと判断した場合、この入力端子に関する入力端子接続構成情報１５１を生成して（ステップＳ１３）、表示入力端子リスト１５０として記憶させる（ステップＳ１４）。
【００４６】
一方、表示入力拡張処理制御部１１３Ｂは、ステップＳ１２において、接続状態の確認対象が第４の入力端子１０４であり、これに接続されたＡＶレシーバ２００がリピータ機能を有している場合、ＡＶレシーバ２００のレシーバ入力拡張処理制御部２１３に、第１〜第４の入力端子２０１〜２０４の接続状態に基づいてレシーバ入力端子リスト２５０を生成するリピータ入力端子判断処理を実施させる（ステップＳ１５）。
この後、レシーバ入力拡張処理制御部２１３は、全ての入力端子について接続状態を確認したか否かを判断して（ステップＳ１６）、全ての入力端子について確認していないと判断した場合、次に接続状態を確認すべき入力端子を確認して（ステップＳ１７）、ステップＳ１５の処理を実施する。一方、レシーバ入力拡張処理制御部２１３は、ステップＳ１６において、全ての入力端子について接続状態を確認してレシーバ入力端子リスト２５０が生成されたと判断した場合、その旨の信号を表示入力拡張処理制御部１１３Ｂへ送信する。そして、表示入力拡張処理制御部１１３Ｂは、ステップＳ１３の処理を実施して、第４の入力端子１０４に関する入力端子接続構成情報１５１を生成する。
【００４７】
また、ステップＳ１５におけるリピータ入力端子判断処理では、レシーバ入力拡張処理制御部２１３は、図１１に示すように、各入力側Ｉ／Ｆ処理部２０６〜２０９を介して認証処理を実施することにより、接続されている機器があるか否かを判断する（ステップＳ２１）。このステップＳ２１において、接続機器があると判断した場合、この機器がリピータ機能を有しているか否かを判断する（ステップＳ２２）。
そして、レシーバ入力拡張処理制御部２１３は、ステップＳ２２において、接続状態の確認対象が第１〜第３の入力端子２０１〜２０３であり、これらに接続された第４〜第６の映像音声出力機器４０４〜４０６がリピータ機能を有していない場合、あるいは、ステップＳ２１で接続機器がないと判断した場合、この入力端子に関する入力端子接続構成情報２５１を生成して（ステップＳ２３）、レシーバ入力端子リスト２５０として記憶させる（ステップＳ２４）。
【００４８】
一方、レシーバ入力拡張処理制御部２１３は、ステップＳ２２において、接続状態の確認対象が第４の入力端子２０４であり、これに接続されたＨＤＤＶＤレコーダ３００がリピータ機能を有している場合、ＨＤＤＶＤレコーダ３００のレコーダ入力拡張処理制御部３０８に、入力端子３０１の接続状態に基づいてレコーダ入力端子リスト３５０を生成するリピータ入力端子判断処理を実施させる（ステップＳ２５）。
この後、レコーダ入力拡張処理制御部３０８は、全ての入力端子について接続状態を確認したか否かを判断して（ステップＳ２６）、全ての入力端子について確認していないと判断した場合、次に接続状態を確認すべき入力端子を確認して（ステップＳ２７）、ステップＳ２５の処理を実施する。一方、レコーダ入力拡張処理制御部３０８は、ステップＳ２６において、全ての入力端子について接続状態を確認してレコーダ入力端子リスト３５０が生成されたと判断した場合、その旨の信号をレシーバ入力拡張処理制御部２１３へ送信する。そして、レシーバ入力拡張処理制御部２１３は、ステップＳ２３の処理を実施して、第４の入力端子２０４に関する入力端子接続構成情報２５１を生成する。
【００４９】
また、ステップＳ２５におけるレコーダ入力拡張処理制御部３０８でのリピータ入力端子判断処理では、図１１のステップＳ２１〜ステップＳ２７の処理を実施する。そして、ステップＳ２３において入力端子３０１に関する入力端子接続構成情報３５１を生成して、ステップＳ２４において、この入力端子接続構成情報３５１をレコーダ入力端子リスト３５０として記憶させる。
【００５０】
〔接続情報の表示処理〕
次に、ＡＶシステム１の動作として、接続情報１７０の表示処理について説明する。
図１２は、画面表示名が変更されていない場合の接続情報の表示状態を示す模式図である。図１３は、画面表示名が変更された場合の接続情報の表示状態を示す模式図である。
【００５１】
まず、表示装置１００のオンスクリーン処理部１１３Ａは、図１２に示すように、利用者により所定の入力端子を選択するためのリモコン１０の選択ボタン１０Ａが押され、入力切換部１１０からその旨の操作信号を取得すると、表示入力拡張処理制御部１１３Ｂを介して最適化接続構成リスト１６０を取得する。そして、最適化接続構成リスト１６０の画面表示名情報１６５に基づいて、最適化接続構成情報１６１の数と同数の８個の表示対象装置情報１７１を有する接続情報１７０を表示部１１１で表示させる。さらに、オンスクリーン処理部１１３Ａは、１個の表示対象装置情報１７１の周縁にカーソル１７２を表示させる。
そして、オンスクリーン処理部１１３Ａは、選択ボタン１０Ａあるいは十字キー１０Ｂが押されるごとに、カーソル１７２を下方へ移動させる。そして、所定の表示対象装置情報１７１にカーソル１７２が位置する状態でリモコン１０の決定ボタン１０Ｃが押されたら、オンスクリーン処理部１１３Ａ、表示入力拡張処理制御部１１３Ｂは、以下のような処理を実施する。
【００５２】
オンスクリーン処理部１１３Ａは、カーソル１７２が位置している表示対象装置情報１７１の表示形態を、他の表示対象装置情報１７１と異なるものに設定する。例えば、図１２に示すように、「ＨＤＭＩ１」の表示対象装置情報１７１の色（斜線で示す）を他の表示対象装置情報１７１と異なるものに設定する。
なお、オンスクリーン処理部１１３Ａは、画面表示名情報１６５の表示名称が利用者により変更されている場合には、図１３に示すような接続情報１７０を表示させる。
【００５３】
また、表示入力拡張処理制御部１１３Ｂは、カーソル１７２が位置している表示対象装置情報１７１の機器がコンテンツを出力する機器として決定されたと認識する。そして、その旨の決定信号を、この選択された機器と、この機器と表示装置１００との間に介在している機器と、に送信する。この決定信号を取得した各機器は、起動するとともに、その旨を報知する。
例えば、図１２に示すように「ＨＤＭＩ１」の表示対象装置情報１７１にカーソル１７２が位置している状態で決定ボタン１０Ｃが押された場合、表示入力拡張処理制御部１１３Ｂは、最適化接続構成リスト１６０に基づいて、「ＨＤＭＩ１」の機器が第１の映像音声出力機器４０１であると認識し、第１の映像音声出力機器４０１に決定信号を送信する。そして、この決定信号を受信した第１の映像音声出力機器４０１は、電力供給制御手段による電力の供給により起動するとともに、報知手段にてその旨を報知する
また、「ＨＤＭＩ７−２」に対応する第７の映像音声出力機器４０７が選択された場合、第７の映像音声出力機器４０７、ＨＤＤＶＤレコーダ３００、ＡＶレシーバ２００は、電力供給制御手段４０７Ｅ，３０９，２１４による映像処理部４０７Ｄ，３０６、映像転送処理部２１１への電力の供給開始により起動するとともに、報知手段４０７Ｆ，３１０，２１５によりその旨を報知する。なお、ＨＤＤＶＤレコーダ３００、ＡＶレシーバ２００でその旨を報知しない構成としてもよい。
【００５４】
さらに、表示入力拡張処理制御部１１３Ｂは、最適化接続構成リスト１６０の画質調整設定情報１６６に基づいて、画像の調整状態に関する情報を取得して、映像切換処理部１１４へ出力する。調整状態に関する情報を取得した映像切換処理部１１４は、決定ボタン１０Ｃで決定された機器からのコンテンツ信号を取得して、コンテンツの画質や画面サイズを適宜調整して表示部１１１で表示させる。
例えば、第１の映像音声出力機器４０１がコンテンツを出力する機器として決定した場合、映像切換処理部１１４は、第１の映像音声出力機器４０１からのコンテンツ信号に基づくコンテンツを、設定メモリ領域１に記憶された条件で調整して表示させる。
【００５５】
［ＡＶシステムの作用効果］
上述したように、上記実施形態では、以下のような作用効果を奏することができる。
【００５６】
（１）ＡＶシステム１の表示装置１００は、接続状態表示制御装置１１３の表示入力拡張処理制御部１１３Ｂにて、第１〜第４の入力端子１０１〜１０４にＡＶレシーバ２００やＨＤＤＶＤレコーダ３００を介して、第１〜第７の映像音声出力機器４０１〜４０７が接続されると、この接続状態を認識する。そして、表示入力拡張処理制御部１１３Ｂは、記憶コンテンツ送信機能を備えた第１〜第７の映像音声出力機器４０１〜４０７、ＨＤＤＶＤレコーダ３００に関する最適化接続構成情報１６１を有し、記憶コンテンツ送信機能を備えないＡＶレシーバ２００に関する最適化接続構成情報１６１を有さない最適化接続構成リスト１６０を生成する。この後、接続状態表示制御装置１１３のオンスクリーン処理部１１３Ａは、最適化接続構成リスト１６０に基づいて、記憶コンテンツ送信機能を備えた各機器に関する表示対象装置情報１７１を有し、記憶コンテンツ送信機能を備えない各機器に関する表示対象装置情報１７１を有さない接続情報１７０を表示部１１１で表示させる。
このため、表示装置１００と記憶コンテンツ送信機能を有する機器との間に、リピータ機能のみを有する多くの機器が接続された場合でも、記憶コンテンツ送信機能を有する機器のみに関する表示対象装置情報１７１を表示させることができ、利用者に記憶コンテンツ送信機能を有する機器を容易に特定させることができる。
【００５７】
（２）表示入力拡張処理制御部１１３Ｂは、利用者によるリモコン１０の操作に基づいて、画面表示名情報１６５の内容を変更する。そして、オンスクリーン処理部１１３Ａは、この変更された画面表示名情報１６５に基づく表示対象装置情報１７１を表示させる。
このため、表示対象装置情報１７１の内容を利用者の好みに応じて変更することができ、利用者に記憶コンテンツ送信機能を有する機器をより容易に特定させることができる。
【００５８】
（３）オンスクリーン処理部１１３Ａは、所定の表示対象装置情報１７１の機器がコンテンツを出力する機器として決定された場合、この表示対象装置情報１７１の色を他の表示対象装置情報１７１とは異なるものに設定する。
このため、利用者に表示装置１００で表示されるコンテンツの出力機器を容易に特定させることができる。
【００５９】
（４）映像切換処理部１１４は、最適化接続構成リスト１６０の画質調整設定情報１６６に基づく画像の調整条件に基づいて、コンテンツを表示させる。
このため、入力端子１０１〜１０４ごとに利用者の好みに応じた条件で画質などが調整されたコンテンツを表示させることができる。特に、入力端子１０１〜１０４ごとに画質調整設定情報１６６を設けているので、入力端子１０１〜１０４に接続される機器が変更されたとしても、同一の条件で調整されたコンテンツを表示させることができる。
【００６０】
（５）表示装置１００に接続された第１〜第７の映像音声出力機器４０１〜４０７、ＡＶレシーバ２００、ＨＤＤＶＤレコーダ３００は、決定信号を取得すると、電力供給制御手段２１４，３０９，４０７Ｅによる電力の供給により起動する。
このため、利用者にコンテンツの出力機器である第１〜第７の映像音声出力機器４０１〜４０７、ＨＤＤＶＤレコーダ３００や、転送機器であるＡＶレシーバ２００を起動させる旨の操作を実施させることなく、これらの機器を起動させることができ、利用者にＡＶシステム１の操作を容易に実施させることができる。
【００６１】
（６）表示装置１００に接続された第１〜第７の映像音声出力機器４０１〜４０７、ＡＶレシーバ２００、ＨＤＤＶＤレコーダ３００は、決定信号を取得すると、報知手段２１５，３１０，４０７Ｆによりその旨を報知する。
このため、利用者にコンテンツの出力機器や転送機器を容易に特定させることができる。
【００６２】
（７）リピータ機能および記憶コンテンツ送信機能を有するＨＤＤＶＤレコーダ３００を、本発明の第１の送信装置として適用している。
このため、ツリー状の接続構造における末端に位置する第１〜第７の映像音声出力機器４０１〜４０７からのコンテンツに加えて、この末端の機器と表示装置１００との間に介在するＨＤＤＶＤレコーダ３００からのコンテンツも表示装置１００で表示させることができる。したがって、より多くの機器からのコンテンツを出力可能なＡＶシステム１を提供できる。
【００６３】
（８）リピータコンテンツ送信機能を有する機器、および、この機器を介して接続された機器の画面表示名情報１６５と、表示装置１００に直接接続された機器、および、リピータ機能のみを有する機器を介して接続された機器の画面表示名情報１６５と、を異なる規則に基づき設定された文字列を表すものとしている。そして、表示装置１００は、この画面表示名情報１６５に基づく表示対象装置情報１７１を表示させる。
このため、利用者に表示対象装置情報１７１を視認させるだけで、この表示対象装置情報１７１に対応する機器の機能や接続状態を認識させることができる。
【００６４】
（９）ＡＶシステム１の各機器を、映像信号、画像信号、制御信号を送信するラインを有するＨＤＭＩケーブルを介して接続している。
このため、映像信号、画像信号、制御信号のみを送信するラインをそれぞれ有するケーブルを介して接続する構成と比べて、配線作業を容易に実施できる。
【００６５】
［実施形態の変形］
なお、本発明は、上述した一実施形態に限定されるものではなく、本発明の目的を達成できる範囲で以下に示される変形をも含むものである。
【００６６】
すなわち、コンテンツ信号を送信可能な機器に関する表示対象装置情報１７１と、コンテンツ信号を送信不可能な機器とに関する表示対象装置情報１７１とを異なる表示形態で表示させてもよい。ここで、表示対象装置情報１７１を異なる表示形態で表示させる構成としては、コンテンツを送信可能な機器に関するもののみを表示させる第１の構成、両者の輝度、色、大きさを変更する第２の構成、送信可能か否かに関する情報を表示させる第３の構成が例示できる。以下において、第３の構成の具体的な内容について説明する。
【００６７】
まず、例えば、各機器が以下の設定状態であるとする。
＜設定状態＞
・第１の映像音声出力機器４０１：コンテンツ信号送信不可能（ＤＶＤ未装着）
・第２の映像音声出力機器４０２：コンテンツ信号送信可能（選局されており録画中だが録画中の映像出力可能）
・第３の映像音声出力機器４０３：コンテンツ信号送信不可能（ＤＶＤ未装着）
・第４の映像音声出力機器４０４：コンテンツ信号送信可能（ＤＶＤ装着済み）
・第５の映像音声出力機器４０５：コンテンツ信号送信可能（録画中でなく、選局済み、ＨＤＤに録画済みコンテンツあり）
・第６の映像音声出力機器４０６：コンテンツ信号送信可能（録画中でなく、選局済み、ＨＤＤ搭載せず）
・第７の映像音声出力機器４０７：コンテンツ信号送信可能（メモリに録画されているコンテンツ信号をＨＤＤＶＤレコーダ３００に出力中）
・ＨＤＤＶＤレコーダ３００：コンテンツ信号送信可能（第７の映像音声出力機器４０７からのコンテンツ信号をＨＤＤに録画中、選局済み）
【００６８】
そして、例えば、図１４〜図１６に示すように、表示装置１００は、接続状態の確認処理時に各機器についてコンテンツ信号を送信可能か否かを認識して、各入力端子リスト３５０，２５０，１５０の接続機器判定情報３５３，２５３，１５３に、コンテンツ信号を送信可能である旨の「送信可」、送信不可能である旨の「送信不可」を示すフラグ情報を追加する。この後、各入力端子リスト３５０，２５０，１５０に基づいて、図１７に示すように、コンテンツ送信可能フラグ情報１６７に、「送信可」、「送信不可」を示す情報を記録した最適化接続構成リスト１６０を生成する。そして、図１８に示すように、端子の表示名称に加えて、「送信可」または「送信不可」を示す文字を表示させる表示対象装置情報１７１を生成する。
このような構成にすれば、利用者にコンテンツ信号を送信可能な機器、すなわちコンテンツを再生可能な機器を容易に特定させることができる。
【００６９】
また、図１９に示すように、記憶コンテンツ送信機能を有する機器と、リピータ機能のみを有する機器とに関する表示対象装置情報５０１の表示形態を異ならせた接続情報５００を表示させてもよい。具体的には、表示装置１００およびリピータ機能のみを有するＡＶレシーバ５０１の表示対象装置情報５０１の輝度を低くして（図中、表示対象装置情報５０１を一点鎖線で囲むことで示す）、記憶コンテンツ送信機能を有する第１〜第７の映像音声出力機器４０１〜４０７（第１ＤＶＤプレーヤ、第１ＨＤＤレコーダ、ＢＤプレーヤ、第２ＤＶＤプレーヤ、第２ＨＤＤレコーダ、ＢＤレコーダ、ビデオカメラ）と、ＨＤＤＶＤレコーダ３００と表示対象装置情報５０１の輝度を高くして（図中、表示対象装置情報５０１を一重線で囲むことで示す）もよい。
このような構成にしても、輝度の高さに基づいて、利用者に記憶コンテンツ送信機能を有する機器を容易に特定させることができる。
そして、図１９に示すような構成において、例えば第１ＤＶＤプレーヤとＢＤプレーヤとがコンテンツ信号を送信不可能で、他の機器が送信可能な状態の場合、第１ＤＶＤプレーヤとＢＤプレーヤを示す表示対象装置情報５０１の色（斜線で示す）を、他の機器の表示対象装置情報５０１の色と異ならせてもよい。
【００７０】
さらに、図１９に示すような構成において、例えば第１ＤＶＤプレーヤにＤＶＤが装着されて送信不可能状態から送信可能状態に移行したことを認識して、図２０に示すように、第１ＤＶＤプレーヤの表示対象装置情報５０１の色を送信可能な状態を示す色に変更してもよい。このような構成にすれば、利用者が再生する可能性が高いＤＶＤを装着した機器を容易に特定させることができる。また、第１ＤＶＤプレーヤからＤＶＤが取り出されたら、表示対象装置情報５０１の色を送信不可能な状態を表す色に戻してもよい。
【００７１】
また、図２０に示すような構成において、第２ＨＤＤレコーダにコンテンツ信号を送信可能な第３ＨＤＤレコーダが接続されたことを認識して、図２１に示すように、この新たに接続された第３ＨＤＤレコーダの表示対象装置情報５０１を点滅させてもよい（図中、表示対象装置情報５０１を二重線で囲むことで示す）。なお、機器が送信不可能状態から送信可能状態に移行したときと同様に表示形態を変更してもよい。このような構成にすれば、ＡＶシステム１に新たに接続された機器を容易に特定させることができる。
【００７２】
また、表示入力拡張処理制御部１１３Ｂに、画面表示名情報１６５を変更する機能を設けなくてもよい。
さらに、オンスクリーン処理部１１３Ａに、所定の表示対象装置情報１７１の機器がコンテンツを出力する機器として決定された場合であっても、この表示対象装置情報１７１の色を変更する機能を設けなくてもよい。また、表示対象装置情報１７１の色を変更せずに、表示対象装置情報１７１を点滅させてもよい。
【００７３】
そして、最適化接続構成リスト１６０に画質調整設定情報１６６を設けずに、映像切換処理部１１４にて、リモコン１０の操作に基づいて画像を調整してもよい。
また、決定ボタン１０Ｃの操作によりコンテンツの出力機器が決定した場合でも、この出力機器を起動させなくてもよいし、この出力機器でその旨を報知しなくてよい。
さらに、リピータコンテンツ送信機能を有する機器、および、この機器を介して接続された機器の画面表示名情報１６５と、表示装置１００に直接接続された機器、および、リピータ機能のみを有する機器を介して接続された機器の画面表示名情報１６５と、を同一の規則に基づき設定された文字列を表すものとしてもよい。つまり、図８に示す画面表示名情報１６５で表される「ＨＤＭＩ７−１」、「ＨＤＭＩ７−２」の文字列を、「ＨＤＭＩ７」、「ＨＤＭＩ８」などとしてもよい。
そして、リピータコンテンツ送信機能を有する機器の画面表示名情報１６５と、この機器を介して接続された機器の画面表示名情報１６５と、を異なる規則に基づき設定された文字列を表すものとしてもよい。つまり、図８に示す画面表示名情報１６５で表される「ＨＤＭＩ７−２」の文字列を、「ＨＤＭＩ７−１−１」などとしてもよい。
【００７４】
また、本発明を、映像信号、画像信号、制御信号のみを送信するラインをそれぞれ有するケーブルを介して接続する構成に適用してもよい。
そして、第７の映像音声出力機器４０７から出力されるコンテンツ信号をＨＤＤＶＤレコーダ３００の記憶手段３０５に記憶しつつ、このコンテンツ信号に基づくコンテンツを表示装置１００で表示させてもよい。さらには、第７の映像音声出力機器４０７から出力されるコンテンツ信号をＨＤＤＶＤレコーダ３００の記憶手段３０５に記憶しつつ、この記憶手段３０５に記憶された他のコンテンツ信号に基づくコンテンツを表示装置１００で表示させてもよい。
【００７５】
そして、本発明のコンテンツ発生機能を有する送信装置として、配信装置としてのサーバや放送局などから配信されるコンテンツ信号を取得して送信する配信コンテンツ送信部としてのチューナを備えた機器を適用してもよい。
【００７６】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【００７７】
その他、本発明の実施の際の具体的な構造および手順は、本発明の目的を達成できる範囲で他の構造などに適宜変更できる。
【００７８】
［実施形態の効果］
上述したように、上記実施形態では、ＡＶシステム１の表示装置１００は、第１〜第４の入力端子１０１〜１０４にＡＶレシーバ２００やＨＤＤＶＤレコーダ３００を介して、第１〜第７の映像音声出力機器４０１〜４０７が接続されると、記憶コンテンツ送信機能を備えた第１〜第７の映像音声出力機器４０１〜４０７、ＨＤＤＶＤレコーダ３００に関する表示対象装置情報１７１を有し、記憶コンテンツ送信機能を備えないＡＶレシーバ２００に関する表示対象装置情報１７１を有さない接続情報１７０を表示部１１１で表示させる。
このため、表示装置１００と記憶コンテンツ送信機能を有する機器との間に、リピータ機能のみを有する多くの機器が接続された場合でも、記憶コンテンツ送信機能を有する機器のみに関する表示対象装置情報１７１を表示させることができ、利用者に記憶コンテンツ送信機能を有する機器を容易に特定させることができる。
【産業上の利用可能性】
【００７９】
本発明は、コンテンツ処理装置の入力端子に転送装置を介して送信装置が接続されたときの接続状態を表示部で表示させる接続状態表示制御装置、コンテンツ処理装置、コンテンツ処理システム、接続状態表示制御方法、そのプログラム、および、そのプログラムを記録した記録媒体として利用できる。
【符号の説明】
【００８０】
１…コンテンツ処理システムとしてのＡＶシステム
１００…コンテンツ処理装置としての表示装置
１０１〜１０４…第１〜第４の入力端子
１１１…表示部
１１２…入力端子処理情報記憶手段としての表示入力拡張構成メモリ
１１３…演算手段としての接続状態表示制御装置
１１３Ａ…接続情報表示制御手段としてのオンスクリーン処理部
１１３Ｂ…接続情報生成手段および決定信号送信手段としての表示入力拡張処理制御部
１１４…コンテンツ処理部としての映像切換処理部
１６０…入力端子処理情報としての最適化接続構成リスト
１６３…入力端子情報としての最適化入力端子情報
１６６…処理形態情報としての画質調整設定情報
１７０，５００…接続情報
１７１，５０１…表示対象装置情報
２００…転送装置としてのＡＶレシーバ
３００…第１の送信装置としてのＨＤＤＶＤレコーダ
３０５…記憶手段
３０６Ａ…送信コンテンツ転送部
３０６Ｂ…記憶コンテンツ送信部
４０１〜４０６…第３の送信装置としての第１〜第６の映像音声出力機器
４０７…第２の送信装置としての第７の映像音声出力機器
２１４，３０９，４０７Ｅ…電力供給制御手段
２１５，３１０，４０７Ｆ…報知手段
【国際調査報告】
2009113170.tif 000024
2009113170.tif 000025
2009113170.tif 000026
2009113170.tif 000027